(57)【要約】【課題】　液晶パネルの表面反射方向からずれた概ねパネルの法線方向から観察したときの輝度を向上させ、鮮明な表示が可能である液晶装置の提供。【解決手段】　一対の基板１７、２８と液晶層１５と反射層３１と指向性前方散乱回折フィルム１８とを具備してなる液晶パネル１０を備えてなり、採光側から指向性前方散乱回折フィルム１８に入射した入射光Ｌ１のフィルム１８の法線Ｈに対する入射角をθ、入射光Ｌ１が指向性前方散乱回折フィルム１８を透過する際回折した回折光Ｌ６の該フィルム１８の法線Ｈに対する回折角をαと定義したとき、指向性前方散乱回折フィルム１８は、入射光Ｌ１と回折光Ｌ６が｜α｜＜｜θ｜なる関係を満足するような構成とされたことを特徴とする液晶装置。【選択図】　　図２
2004102305.tif 000002
【特許請求の範囲】
【請求項１】
一対の基板と、これらの基板間に挟持された液晶層と、一方の基板の液晶層側に設けられた反射層と、他方の基板の液晶層側と反対側に設けられた指向性前方散乱回折フィルムとを具備した液晶パネルを備えてなり、
　前記指向性前方散乱回折フィルムに対してその一面側に配置した光源から光を入射し、前記指向性前方散乱回折フィルムの他面側に配置した受光部において、前記指向性前方散乱回折フィルムを透過した全透過光のうち、拡散透過光を除いた平行線透過光を観測した際、
　前記指向性前方散乱回折フィルムの法線に対する入射光の入射角度を極角θnと定義し、前記指向性前方散乱回折フィルムの面内方向の入射光角度を方位角φmと定義し、平行線透過光の最大透過率をＴmax（φ１，θ１）と定義し、平行線透過光の最小透過率をＴmin（φ２，θ２）と定義した場合、最小透過率を示す極角と方位角の場合の入射光側を前記液晶パネルの採光側になるように最大透過率を示す極角と方位角の場合の入射光側を前記液晶パネルの観察方向側になるように前記指向性前方散乱回折フィルムを前記液晶パネルに配置してなることを特徴とする液晶装置。
【請求項２】
一対の基板と、これらの基板間に挟持された液晶層と、一方の基板の液晶層側に設けられた半透過反射層と、他方の基板の液晶層側と反対側に設けられた指向性前方散乱回折フィルムとを具備した液晶パネルを備えてなり、
　前記指向性前方散乱回折フィルムに対してその一面側に配置した光源から光を入射し、前記指向性前方散乱回折フィルムの他面側に配置した受光部において、前記指向性前方散乱回折フィルムを透過した全透過光のうち、拡散透過光を除いた平行線透過光を観測した際、
　前記指向性前方散乱回折フィルムの法線に対する入射光の入射角度を極角θnと定義し、前記指向性前方散乱回折フィルムの面内方向の入射光角度を方位角φmと定義し、平行線透過光の最大透過率をＴmax（φ１，θ１）と定義し、平行線透過光の最小透過率をＴmin（φ２，θ２）と定義した場合、最小透過率を示す極角と方位角の場合の入射光側を前記液晶パネルの採光側になるように、最大透過率を示す極角と方位角の場合の入射光側を前記液晶パネルの観察方向側になるように、前記指向性前方散乱回折フィルムを前記液晶パネルに配置してなることを特徴とする液晶装置。
【請求項３】
前記平行線透過光の最大透過率をＴmax（φ１，θ１）、前記平行線透過光の最小透過率をＴmin（φ２，θ２）とした場合、φ１＝φ２±１８０°の関係を満足させたことを特徴とする請求項１又は２に記載の液晶装置。
【請求項４】
前記採光側から前記指向性前方散乱回折フィルムに入射した入射光の該フィルムの法線に対する入射角をθ、前記入射光が前記指向性前方散乱回折フィルムを透過する際回折した回折光の該フィルムの法線に対する回折角をαと定義したとき、前記指向性前方散乱回折フィルムは前記入射光と前記回折光が｜α｜＜｜θ｜なる関係を満足するような構成とされたことを特徴とする請求項１乃至３のいずれか一項に記載の液晶装置。
【請求項５】
前記採光側から前記指向性前方散乱回折フィルムに入射した入射光の該フィルムの法線に対する入射角をθ、前記入射光が前記指向性前方散乱回折フィルムを透過する際回折した回折光の該フィルムの法線に対する回折角をαと定義したとき、前記指向性前方散乱回折フィルムは、前記入射光と前記回折光が５度≦｜θ｜−｜α｜≦２０度なる関係を満足するような構成とされたことを特徴とする請求項１乃至３のいずれか一項に記載の液晶装置。
【請求項６】
前記指向性前方散乱回折フィルムは、ホログラムであることを特徴する請求項１乃至５のいずれか一項に記載の液晶装置。
【請求項７】
前記一方の基板の液晶層と前記他方の基板の液晶層側に液晶駆動用の電極が設けられてなることを特徴とする請求項１乃至６のいずれか一項に記載の液晶装置。
【請求項８】
前記一対の基板のどちから一方の液晶層側にカラーフィルタが設けられてなることを特徴とする請求項１乃至７のいずれか一項に記載の液晶装置。
【請求項９】
前記反射層又は前記半透過反射層の表面に、微細な凹凸が形成されていることを特徴とする請求項１乃至８のいずれか一項に記載の液晶装置。
【請求項１０】
前記指向性前方散乱回折フィルムの他方の基板側と反対側に、前記液晶パネル側に照明光を出射する面状発光体が設けられてなることを特徴とする請求項１又は請求項３乃至８のいずれか一項に記載の液晶装置。
【請求項１１】
少なくとも１枚の基板を有して形成され、該基板面を押圧することによる入力によって位置座標を検出する入力装置が、前記液晶装置の指向性前方散乱回折フィルムの他方の基板側と反対側又は前記面状発光体の指向性前方散乱回折フィルム側と反対側に設けられてなることを特徴とする請求項１乃至１０のいずれか一項に記載の液晶装置。
【請求項１２】
前記指向性前方散乱回折フィルムの他方の基板側と反対側、又は前記面状発光体の前記指向性前方散乱回折フィルム側と反対側、又は前記入力装置の前記指向性前方散乱回折フィルム側と反対側、又は前記入力装置の前記面状発光体と反対側に光透過性保護板が設けられてなることを特徴とする請求項１乃至１１のいずれか一項に記載の液晶装置。
【請求項１３】
前記指向性前方散乱回折フィルムは、高屈折率層と低屈折率層がフィルム面法線方向に対して斜めに交互積層されたフィルムであることを特徴とする請求項１乃至１２のいずれか一項に記載の液晶装置。
【請求項１４】
前記指向性前方散乱回折フィルムは、フィルム面法線方向におけるヘイズが５％以上４０％以下であることを特徴とする請求項１乃至１３のいずれか一項に記載の液晶装置。
【請求項１５】
一対の基板と、これらの基板間に挟持された液晶層と、一方の基板の液晶層側に設けられた反射層と、他方の基板の液晶層側と反対側に設けられた指向性前方散乱回折フィルムとを具備した液晶パネルを備えてなり、　前記指向性前方散乱回折フィルムは、高屈折率層と低屈折率層がフィルム面法線方向に対して斜めに交互積層されたフィルムであり、反射層は微細な凸凹を有していることを特徴とする液晶装置。
【請求項１６】
前記請求項１から請求項１５のいずれか一項に記載の液晶装置を表示手段として備えたことを特徴とする電子機器。
【発明の詳細な説明】
【技術分野】
【０００１】
　本発明は、反射型あるいは半透過反射型液晶表示装置に適用することで表示のにじみ（ボケ）を解消し、鮮明な表示を得ることができるとともに、そのような鮮明な表示が可能な液晶装置を備えた電子機器を提供できる技術に関する。
【背景技術】
【０００２】
　ノート型パーソナルコンピュータ、携帯型ゲーム機や電子手帳などの種々の電子機器には表示部として消費電力の少ない液晶表示装置が多用されている。特に近年は表示内容の多用化に伴って、カラー表示が可能な液晶表示装置の需要が高まっている。また、前記電子機器のバッテリー駆動時間を長くしたいという要求から、バックライト装置を必要としない反射型のカラー液晶表示装置が開発されている。
【０００３】
　以下に従来の反射型のカラー液晶表示装置の構成例の概要を図面を参照して説明する。
【０００４】
　図２２（ａ）、（ｂ）は、従来の反射型カラー液晶表示装置の要部を示す拡大概略断面図である。これらの内、図２２（ａ）は前方散乱板タイプの反射型液晶表示装置を示し、図２２（ｂ）は内面散乱反射板タイプの液晶表示装置を示している。
【０００５】
　図２２（ａ）に示した前方散乱板タイプの液晶表示装置は、一対のガラス基板１００、１０１間に液晶層１０２が挟持されてなる液晶パネル１００ａが備えられ、一方（図面では上側）のガラス基板１０１の液晶層１０２側の表面部分には、カラーフィルタ１０４が設けられている。また、ガラス基板１０１の上面側には、例えば厚さ５０〜２００μｍのトリアリルシアネートなどからなる基材に金属酸化物粒子をフィラーとして分散させた前方散乱フィルム１０５が透明な粘着材または粘着シート（図示略）を介して貼付され、その上に偏光板１０６が設けられている。
【０００６】
　このような前方散乱タイプの反射型液晶装置において入射光Ｌ１は、偏光板１０６、前方散乱フィルム１０５、ガラス基板１０１、カラーフィルタ１０４、液晶層１０２を通過後、駆動電極を兼ねる光反射層１０３の表面で反射され、反射された光が液晶層１０２、カラーフィルタ１０４、ガラス基板１０１、前方散乱フィルム１０５、偏光板１０６を介して液晶装置から出射され、観察者Ｅに反射光Ｌ２として視認される。ここで液晶装置を出射する光は液晶層１０２の状態によって制御される、即ち、液晶層１０２における液晶分子の配列状態により反射光の偏光状態が制御され、反射光の偏光状態が偏光板１０６の偏光軸と一致した場合には偏光板１０６を透過して所望の色表示がなされることとなる。
【０００７】
　また、図２２（ｂ）の内面散乱反射板タイプの液晶装置は、一対のガラス基板１００、１０１間に液晶層１０２が挟持されてなる液晶パネル１００ａが備えられ、ガラス基板１００の液晶層１０２側の表面には、画素電極を兼ねるＡｌ薄膜等からなる光反射層１０７が表面に光を乱反射する凹凸部を設けた状態で形成されている。
【０００８】
　ここで光入射側のガラス基板１０１の液晶層１０２側の表面には、カラーフィルタ１０４が形成され、ガラス基板１０１の上面側には偏光板１０６が設けられている。このような内面散乱板タイプの反射型液晶表示装置において、入射光Ｌ１は、偏光板１０６、ガラス基板１０１、カラーフィルタ１０４、液晶層１０２を通過後、画素電極を兼ねる凹凸型の光反射層１０７の表面で乱反射され、液晶層１０２の状態によって偏光が変化された後、反射光はカラーフィルタ１０４とガラス基板１０１と偏光板１０６を通過し、偏光板１０６において、反射光の偏光状態により透過、不透過とされ、透過した場合には散乱光Ｌ４として観察者Ｅの肉眼に入射することによりカラー表示として視認される。
【０００９】
　ところで、前記図２２（ａ）に示す従来構造において前方散乱フィルム１０５は、光反射層１０３が鏡面反射層である場合に、鏡面独特の特定の方向での強いミラー反射（正反射）を弱め、できるだけ広い範囲で明るい表示を可能とする目的で用いられている。
【００１０】
　この種の前方散乱フィルム１０５は、一般的には厚さ２５〜３０μｍ（２５〜３０×１０-6ｍ）程度のアクリル系の樹脂層（例えば屈折率ｎ＝１.４８〜１.４９程度）の内部に粒径４μｍ（４×１０-6ｍ）程度のビーズ（例えば屈折率ｎ＝１.４）を多数分散させてなる構造を有するもので、携帯電話用の反射型液晶表示装置、携帯型情報機器等の反射型液晶表示装置には広く用いられているものである。
【００１１】
　なお、携帯機器の液晶表示装置には、反射型の他にバックライトを備えた半透過反射型の液晶表示装置も知られている。この種従来の半透過反射型液晶表示装置は、反射層を半透過反射層として構成し、透過表示の場合にバックライトの光を半透過反射層を介して観察者側に到達させることで透過表示を行い、バックライトを使用していない状態では反射型液晶表示装置として反射光を有効利用することができるように構成されている。
【発明の開示】
【発明が解決しようとする課題】
【００１２】
　しかしながら、前述の前方散乱フィルム１０５は、異なる各画素での異なる情報が使用者の目に認識されるまでの間に混在されてしまう傾向があり、表示のにじみ（ボケ）が発生し易いという問題点を有していた。これは、図２２（ａ）に示すように反射型液晶表示装置において、入射光が反射層１０３で反射されてから使用者の目に届くまでに前方散乱フィルム１０５を２回通過してその度に散乱することに起因し、隣り合う画素で白表示と黒表示を行っていたとすると、前方散乱フィルム１０５の等方的な散乱作用のために、白表示と黒表示の境界がわかり難くなり易く、表示がにじんでしまう（ボケる）ことに起因しており、即ち、等方的な散乱特性を有する前方散乱フィルム１０５が備えられている場合、入射光Ｌ１は入射時も出射時も全方位に拡散されてしまい、出射時の拡散が表示のにじみ（ボケ）の原因となってしまうと本発明者は考えている。
【００１３】
　また、前述の前方散乱フィルム１０５を用いた液晶表示装置において最も明るい反射表示が得られる観察点は入射光の入射角θ（液晶パネル１００ａの法線方向Ｈを０度とする。）の正反射方向であるが、この方向は表面反射の方向であるため観察者Ｅは表面反射の方向を避けて表示を観察しており、このようにすると輝度が低く、反射表示が鮮明に見えないという問題があった。それは、前述の前方散乱フィルム１０５を用いた液晶表示装置は入射光Ｌ１の入射角θの絶対値と等しい角度βに透過光のピークがあり、従って、反射光Ｌ２は入射角θの絶対値と等しい角度βにピークがあり、出射角度βから外れた位置では反射光Ｌ２が少なくなっているが、通常、観察者Ｅが表示を観察する際は、液晶パネル１０ａの法線Ｈに対して２０度乃至３５度の範囲内で傾いてパネル１０ａに入射する照明光等の入射光Ｌ１の反射光Ｌ２を正反射方向を外した−３０度から０度の方向から観察するため、反射光Ｌ２の出射角度βを避けて見たときの輝度が低く、表示が鮮明に見えない。
【００１４】
　また、カラーフィルタ１０４を設けてなる液晶装置について表示のにじみ（ボケ）について考察すると、色表示の境界が判別し難くなる傾向にあり、混色を生じるおそれがあり、良好な発色性を得られなくなるおそれがある。
【００１５】
　また、このような表示がにじむこと、あるいは、表面反射方向からずれた概ね液晶パネルの法線方向から観察したときの輝度が低く、反射表示が鮮明に見えないということ、あるいは十分な発色性が得られないという事情は、半透過反射型液晶表示装置において反射表示を行っている場合にも該当することである。
【００１６】
　次に、図２２（ｂ）に示すような画素電極を兼ねる凹凸型の光反射性の１０７を備えた構成（内面散乱構造）では、前方散乱フィルムにおける上述のような表示のにじみを生じるおそれは少ないが、この画素電極を兼ねる凹凸型の光反射層１０７を製造するために特別の加工工程と工数が必要になるので、製造コストが高くなってしまう問題を有している。また、この内面散乱構造の液晶表示装置では、光反射層１０７に形成する凹凸に異方性をつけることで、表面反射方向からずれた方向から観察したときの輝度を向上できるものの、光反射層１０７に異方性を付けるのは、上記と同様に特別の製造工程が必要となり、製造コストが高くなってしまうという問題を有している。
【００１７】
　本発明は上述の問題点に鑑みてなされたものであり、表示のにじみを低減して表示品質を向上させることができ、鮮明な表示が可能であることと、内面散乱板を備えた液晶装置に対して構成を単純化することができ、鮮明な表示を備えつつ製造コストを低減できる液晶装置を提供することを目的の１つとする。
【００１８】
　また、本発明は、液晶パネルの表面反射方向からずれた概ねパネルの法線方向から観察したときの輝度を向上させ、鮮明な表示が可能である液晶装置を提供することを他の目的とする。
【００１９】
　また、本発明は、このような液晶装置を備えることにより、表示品質を向上させた電子機器を提供することを他の目的とする。
【発明の効果】
【００２０】
　以上説明したように本発明の液晶装置によれば、指向性前方散乱回折フィルムを備えた反射型あるいは半透過反射型の液晶表示装置において、最小透過率を示す極角方向を採光側になるように、最大透過率を示す極角方向を観察方向側になるように指向性前方散乱回折フィルムを液晶パネルに配置してなることで、平行線透過光の最小透過率を示す場合の方位角φ２は入射角方向となり、平行線透過光の最大透過率を示す場合の方位角φ１は観察者方向になる。指向性前方散乱回折フィルムに対して入射された光は入射時に多く散乱並びに回折される（強く散乱並びに回折される）が、液晶パネル内部の反射層または半透過反射層により反射されて指向性前方散乱回折フィルムを再度通過する光は散乱や回折される量が少なくなる（殆ど散乱や回折されない）ので、結果的に表示のにじみ（ボケ）の少ない鮮明な表示形態が得られる。
【００２１】
　また、本発明の液晶装置によれば、液晶パネルに上記のような指向性前方散乱回折フィルムを設けるだけで、表示のにじみ（ボケ）に対する影響は少なく、表示のにじみ（ボケ）の少ない鮮明な表示形態が得られるので、従来の内面散乱型のように反射層を凹凸型にしなくても済み、製造コストを低減できる。
【００２２】
　更に本発明において、平行線透過光の最大透過率をＴmax（φ１，θ１）、平行線透過光の最小透過率をＴmin（φ２，θ２）とした場合、φ１＝φ２±１８０°の関係を満足させることでも表示のにじみ（ボケ）の少ない鮮明な表示形態が得られる。
【００２３】
　上記反射型あるいは半透過反射型の液晶装置において、上記採光側から上記指向性前方散乱回折フィルムに入射した入射光の該フィルムの法線に対する入射角をθ、上記入射光が上記指向性前方散乱回折フィルムを透過する際回折した回折光の該フィルムの法線に対する回折角をαと定義したとき、上記入射光と上記回折光が｜α｜＜｜θ｜なる関係を満足できるような指向性前方散乱回折フィルムが備えられたものにあっては、液晶パネルの表面反射方向からずれた概ねパネルの法線方向から観察したときの輝度を向上でき、鮮明な表示形態が得られる。
【００２４】
　更に、前述の種々構造の液晶装置を有する電子機器であるならば、表示のにじみ（ボケ）が改善され、明るく鮮明な表示を有する鮮鋭な高品位の画像表示を行うことができる電子機器を提供することができる。
【課題を解決するための手段】
【００２５】
　本発明の液晶装置は上記課題を解決するために、一対の基板と、これらの基板間に挟持された液晶層と、一方の基板の液晶層側に設けられた反射層と、他方の基板の液晶層側と反対側に設けられた指向性前方散乱回折フィルムとを具備した液晶パネルを備えてなり、　上記指向性前方散乱回折フィルムに対してその一面側に配置した光源から光を入射し、上記指向性前方散乱回折フィルムの他面側に配置した受光部において、上記指向性前方散乱回折フィルムを透過した全透過光のうち、拡散透過光を除いた平行線透過光を観測した際、
　上記指向性前方散乱回折フィルムの法線に対する入射光の入射角度を極角θnと定義し、上記指向性前方散乱回折フィルムの面内方向の入射光角度を方位角φmと定義し、平行線透過光の最大透過率をＴmax（φ１，θ１）と定義し、平行線透過光の最小透過率をＴmin（φ２，θ２）と定義した場合、最小透過率を示す極角と方位角の場合の入射光側を上記液晶パネルの採光側になるように、最大透過率を示す極角と方位角の場合の入射光側を上記液晶パネルの観察方向側になるように、上記指向性前方散乱回折フィルムを上記液晶パネルに配置してなることを特徴とする。
【００２６】
　指向性前方散乱回折フィルムを備えた液晶装置（反射型の液晶装置）において、最小透過率を示す極角と方位角を示す場合の入射光側を液晶パネルの採光側になるように、最大透過率を示す極角と方位角を示す入射光側を液晶パネルの観察方向側になるようにして指向性前方散乱回折フィルムを液晶パネルに配置してなることで、平行線透過光の最小透過率を示す場合の方位角φ２は入射角方向となり、平行線透過光の最大透過率を示す場合の方位角φ１は観察者方向になる。このように配置された指向性前方散乱回折フィルムを有する液晶パネルならば、指向性前方散乱回折フィルムに対して入射された光は入射時に強く散乱や回折されるが、液晶パネル内部の反射層により反射された後に指向性前方散乱回折フィルムを通過する際に光が散乱や回折される量が少なくなるので、表示のにじみ（ボケ）に対する影響は少なく、表示のにじみ（ボケ）の少ない鮮明な表示形態が得られる。
【００２７】
　また、このような構成の液晶装置によれば、上記液晶パネルに上記のような指向性前方散乱回折フィルムを設けるだけで、表示のにじみ（ボケ）に対する影響は少なく、表示のにじみ（ボケ）の少ない鮮明な表示形態が得られるので、従来の内面散乱型の液晶装置のように反射層を凹凸型にしなくても済み、製造コストを低減できる。
【００２８】
　また、本発明の液晶装置は上記課題を解決するために、前述の構造の液晶装置の反射層に代えて半透過反射層を備えた構造の半透過反射型の液晶装置にも本発明構造を適用することができる。
【００２９】
　半透過反射層を備えた液晶装置においても反射表示を行う場合に本発明が効果的であり、先の構造の場合と同様に、平行線透過光の最小透過率を示す場合の方位角φ２は入射角方向側となり、平行線透過光の最大透過率を示す場合の方位角φ１は観察者方向側になる。このように配置された指向性前方散乱回折フィルムを有するならば、指向性前方散乱回折フィルムに対して入射された光は入射時に強く（多く）散乱や回折されるが、液晶パネル内部の反射層により反射されて指向性前方散乱回折フィルムを通過する光は散乱や回折される量が少なくなる（殆ど散乱や回折されない）ので、表示のにじみ（ボケ）の少ない鮮明な表示形態が得られる。
【００３０】
　また、このような構成の液晶装置によれば、上記液晶パネルに上記のような指向性前方散乱回折フィルムを設けるだけで、表示のにじみ（ボケ）に対する影響は少なく、表示のにじみ（ボケ）の少ない鮮明な表示形態が得られるので、従来の内面散乱型の液晶装置のように半透過反射層を凹凸型にしなくても済み、製造コストを低減できる。
【００３１】
　なお、「採光側」とは、液晶装置を観察するときの１２時方向を意味し、例えば矩形形状の液晶パネルの場合、上下方向で表示が正しく観察及び認識できる状態での液晶パネルの上辺側（上辺を貫く方向）を意味するものである。また、「観察者側」とは、６時方向を意味し、例えば矩形形状の液晶パネルの場合、上下方向で表示が正しく観察及び認識できる状態での液晶パネルの下辺側（下辺を貫く方向）を意味するものである。
【００３２】
　次に本発明は前述の課題を解決するために、先の反射層あるいは半透過反射層を備えた液晶装置において、上記平行線透過光の最大透過率をＴmax（φ１，θ１）、上記平行線透過光の最小透過率をＴmin（φ２，θ２）とした場合、φ１＝φ２±１８０°の関係を満足させたことを特徴とする。
【００３３】
　指向性前方散乱回折フィルムを備えた反射型あるいは半透過反射型の液晶装置において、φ１＝φ２±１８０°の関係にすることで、平行線透過光の最小透過率を示す場合の方位角φ２は液晶パネルの正面入射角方向となり、平行線透過光の最大透過率を示す場合の方位角φ１は観察者中心方向になるが、この関係が１８０゜の場合に最も理想的な配置関係となる。指向性前方散乱回折フィルムに対して入射された光は入射時に強く散乱や回折され、液晶パネル内部の反射層または半透過反射層により反射されて指向性前方散乱回折フィルムを２回目に通過する光は散乱や回折される量が少ないので、表示のにじみ（ボケ）の少ない鮮明な表示形態が確実に得られる。
【００３４】
　次に本発明は前述の課題を解決するために、指向性前方散乱回折フィルムを備えた先の反射型あるいは半透過反射型の液晶装置において、上記採光側から上記指向性前方散乱回折フィルムに入射した入射光の該フィルムの法線に対する入射角をθ、上記入射光が上記指向性前方散乱回折フィルムを透過する際回折した回折光の該フィルムの法線に対する回折角をαと定義したとき、上記指向性前方散乱回折フィルムは、前記入射光と前記回折光が｜α｜＜｜θ｜なる関係を満足するような構成とされたことを特徴とする。
【００３５】
　上記反射型あるいは半透過反射型の液晶装置において、上記入射光と上記回折光が｜α｜＜｜θ｜なる関係を満足できるような上記指向性前方散乱回折フィルムが備えられたことにより、液晶パネルの表面反射方向からずれた概ねパネルの法線方向から観察したときの輝度を向上でき、鮮明な表示形態が得られる。それは、上記入射光が上記指向性前方散乱回折フィルムを透過する際回折した回折光の回折角｜α｜が前記入射光の入射角｜θ｜より小さいと、この回折光が上記反射層又は上記半透過反射層で反射した反射光が上記指向性前方散乱回折フィルムを通過して外部に出射した出射光を上記入射光の正反射方向より小さい角度範囲で強く出射させることができ、即ち、上記回折光の反射光を上記指向性前方散乱回折フィルムの法線に近い方向に強く（多く）出射させることができる（言い換えれば上記回折光の反射光が出射される範囲を法線方向寄りにシフトさせることができる）ので、入射光の正反射方向より小さい角度範囲の輝度が高くなり、使用者（観察者）が液晶パネルの表面反射方向からずれた概ねパネルの法線方向から観察したときに、明るく鮮明な表示が得られる。なお、ここで角度が小さいとは、法線方向からの角度の絶対値が小さいことをいう。
【００３６】
　次に本発明は前述の課題を解決するために、指向性前方散乱回折フィルムを備えた先の反射型あるいは半透過反射型の液晶装置において、上記採光側から上記指向性前方散乱回折フィルムに入射した入射光の該フィルムの法線に対する入射角をθ、上記入射光が上記指向性前方散乱回折フィルムを透過する際回折した回折光の該フィルムの法線に対する回折角をαと定義したとき、５度≦｜θ｜−｜α｜≦２０度なる関係を満足させることが好ましい。
【００３７】
　上記反射型あるいは半透過反射型の液晶装置において、上記入射光と上記回折光が５度≦｜θ｜−｜α｜≦２０度なる関係を満足できるような上記指向性前方散乱回折フィルムが備えられたことにより、液晶パネルの表面反射方向からずれた概ねパネルの法線方向から観察したときの輝度を確実に向上でき、鮮明な表示形態が得られる。
【００３８】
　それは、使用者（観察者）が液晶装置の表示を観察する観察角γ（液晶パネルの法線からの角度）としたとき、通常、上記観察角γの絶対値の方が、液晶パネルに入射した入射光の入射角θ（液晶パネルの法線からの角度）の絶対値より小さく、また、上記観察角の絶対値｜γ｜が入射角の絶対値｜θ｜より５度から２０度小さいことが多いため、上記｜θ｜と上記｜α｜の差が５度から２０度の範囲であると、上記回折光の反射光を上記入射光の正反射方向より５度から２０度法線方向寄りに強く出射させることができ、｜θ｜より５度から２０度小さい観察角｜γ｜で表示を観察したときに、明るく鮮明な表示が得られる。
【００３９】
　上記指向性前方散乱回折フィルムは、ホログラムからなるものであってもよい。
【００４０】
　また、上記のいずれかの構成の本発明の液晶装置において、上記一方の基板の液晶層と上記他方の基板の液晶層側に液晶駆動用の電極が設けられているものであってもよい。
【００４１】
　かかる構成の液晶装置によれば、液晶層を挟む電極により液晶の配向状態を制御し、表示、非表示、中間調表示の切り替えを行うことができる。
【００４２】
　また、上記のいずれかの構成の本発明の液晶装置において、上記一対の基板のどちから一方の液晶層側にカラーフィルタが設けられていてもよい。
【００４３】
　かかる構成の液晶装置によれば、カラーフィルタを設けることでカラー表示が可能となり、先のいずれかの構造を採用することで表示のにじみの少ない、鮮明なカラー表示を有するものが得られる。
【００４４】
　また、上記のいずれかの構成の本発明の液晶装置において、上記反射層又は上記半透過反射層の表面に、凹凸が形成されていてもよい。
【００４５】
　通常、反射層の表面が凸凹形状を有していても、従来の前方散乱タイプと同様に正反射方向が最も明るくなる。よって、観察者はこの方向からずれた角度で液晶パネルを観察する。
【００４６】
　このような凹凸が表面に形成された反射層又は半透過反射層が液晶パネル内に備えられていると、上記入射光が指向性前方散乱回折フィルムを通る際に生じる回折光を利用すると、液晶パネル表面における正反射光を気にせずに、明るく、にじみの少ない鮮明なカラー表示が得られる。
【００４７】
　また、上記のいずれかの構成の本発明の液晶装置においては、上記指向性前方散乱回折フィルムの他方の基板側と反対側に、上記液晶パネル側に照明光を出射する面状発光体が設けられていてもよい。
【００４８】
　かかる構成の液晶装置においては、面状発光体から出射された照明光を上記指向性前方散乱回折フィルムを通って液晶パネル内に入射させた入射光の正反射方向より小さい角度範囲の輝度が高くなり、使用者（観察者）が液晶パネルの表面反射方向からずれた概ねパネルの法線方向から観察したときに、明るく鮮明な表示が得られる。
【００４９】
　また、上記のいずれかの構成の本発明の液晶装置においては、少なくとも１枚の基板を有して形成され、該基板面を押圧することによる入力によって位置座標を検出する入力装置が、上記液晶装置の指向性前方散乱回折フィルムの他方の基板側と反対側又は上記面状発光体の指向性前方散乱回折フィルム側と反対側に設けられていてもよい。
【００５０】
　また、上記のいずれかの構成の本発明の液晶装置においては、上記指向性前方散乱回折フィルムの他方の基板側と反対側、又は上記面状発光体の上記指向性前方散乱回折フィルム側と反対側、又は上記入力装置の上記指向性前方散乱回折フィルム側と反対側、又は上記入力装置の上記面状発光体と反対側に光透過性保護板が設けられていてもよい。
【００５１】
　前記指向性前方散乱回折フィルムは、高屈折率層と低屈折率層がフィルム面法線方向に対して斜めに交互積層されたフィルムであれば、指向性の散乱回折または回折を生じさせることができる。
【００５２】
　前記指向性前方散乱回折フィルムは、フィルム面法線方向におけるヘイズが５％以上４０％以下であることが望ましい。このようにすれば、反射層または半透過反射層で概ね液晶装置法線方向反射された光が強い散乱を生じないので、表示のにじみやボケがない明るくクリアな反射表示を得ることができる。
【００５３】
　さらに、本発明の液晶装置は、一対の基板と、これらの基板間に挟持された液晶層と、一方の基板の液晶層側に設けられた反射層と、他方の基板の液晶層側と反対側に設けられた指向性前方散乱回折フィルムとを具備した液晶パネルを備えてなり、前記指向性前方散乱回折フィルムは、高屈折率層と低屈折率層がフィルム面法線方向に対して斜めに交互積層されたフィルムであり、反射層は微細な凸凹を有していることを特徴とする。
【００５４】
　このような凹凸が表面に形成された反射層又は半透過反射層が液晶パネル内に備えられていると、凸凹で反射層または半透過反射層のミラー感を解消し、指向性前方散乱回折フィルムで入射光を回折散乱させることができるので、液晶パネル表面における正反射光を気にせずに、明るく、にじみの少ない鮮明なカラー表示が得られる。
【００５５】
　本発明の電子機器は上記課題を解決するために、上記いずれかの構成の本発明の液晶装置を表示手段として備えたことを特徴とする。
【００５６】
　かかる電子機器は、表示のにじみを低減して表示品質を向上させることができ、鮮明な表示が可能であることと、内面散乱板を備えた液晶装置に対して構成を単純化することができ、鮮明な表示を備えつつ製造コストを低減できるという利点を有する液晶装置や、あるいは上記の利点に加え液晶パネルの表面反射方向からずれた概ねパネルの法線方向から観察したときの輝度を向上させ、鮮明な表示が可能である液晶装置を備えたことにより、明るく鮮明な表示を有し、表示品質を向上した表示手段を備えたものを得ることができる。
【発明を実施するための最良の形態】
【００５７】
　以下、本発明の実施形態を図面に基づいて説明する。
【００５８】
　（液晶装置の第１実施形態）
　本発明による第１実施形態の液晶装置について、図１〜図３を参照して以下に説明する。図１は、本発明を単純マトリクス型の反射型液晶装置に適用した第１実施形態を示した平面図であり、図２は図１に示した液晶装置のＡ−Ａ線に沿う部分断面図、図３は上記液晶表示装置に内蔵されたカラーフィルタ部分の拡大断面図である。この実施形態の液晶装置に、液晶駆動用ＩＣ、支持体などの付帯要素を装着することによって、最終製品としての液晶表示装置（液晶装置）が構成される。
【００５９】
　この実施形態の液晶装置は、平面視略矩形状、かつ環状のシール材１２を介して互いにセルギャップをあけて対向するように貼り付けられた一対の平面視矩形状の基板ユニット１３、１４と、これらの間に上記シール材１２とともに囲まれて挟持された液晶層１５と、一方（図２の上側）の基板ユニット１３の上面側に設けられた指向性前方散乱回折フィルム１８と位相差板１９と偏光板１６を備えた液晶パネル１１を主体として構成されている。基板ユニット１３、１４のうち、基板ユニット１３は観測者側に向いて設けられる表側（上側）の基板ユニットであり、基板ユニット１４はその反対側、換言すると裏側（下側）に設けられる基板ユニットである。
【００６０】
　上記上側の基板ユニット１３は、例えばガラス等の透明材料からなる透光性基板１７と、透光性基板１７の表側（図２では上面側、観測者側）に順次設けられた指向性前方散乱回折フィルム１８、位相差板１９及び偏光板１６と、透光性基板１７の裏側（換言すると液晶層１５側）に順次形成されたカラーフィルタ層２０、オーバーコート層２１と、該オーバーコート層２１において液晶層１５側の面に形成された液晶駆動用のストライプ状の複数の電極層２３を具備して構成されている。なお、実際の液晶装置においては、電極層２３の液晶層１５側と、後述する下基板側のストライプ状の電極層３５の液晶層１５側に、各々配向膜が被覆形成されるが、図２ではこれらの配向膜を省略し説明も略するとともに、以下に順次説明する他の実施形態においても配向膜の図示と説明は省略する。また、図２および以下の各図に示す液晶装置の断面構造は、図示した場合に各層が見やすいように各層の厚さを実際の液晶装置とは異なる厚さに調節して示してある。
【００６１】
　上記上基板側の駆動用の各電極層２３は本実施形態ではＩＴＯ（Indium Tin Oxide：インジウム錫酸化物）などの透明導電材料から平面視ストライプ状に形成されたもので、液晶パネル１０の表示領域と画素数に合わせて必要本数形成されている。
【００６２】
　上記カラーフィルタ層２０は、本実施形態では図３に拡大して示すように、上側の基板１７の下面（換言すると液晶層１５側の面）に、光遮断用のブラックマスク２６、カラー表示用のＲＧＢの各パターン２７を形成することにより構成されている。また、ＲＧＢのパターン２７を保護する透明な保護平坦化膜としてオーバーコート層２１が被覆されている。
【００６３】
　このようなブラックマスク２６は例えばスパッタリング法、真空蒸着法等により厚さ１００〜２００ｎｍ程度のクロム等の金属薄膜をパターニングして形成されている。ＲＧＢの各パターン２７は、赤色パターン（Ｒ）、緑色パターン（Ｇ）、青色パターン（Ｂ）が、所望のパターン形状で配列され、例えば、所定の着色材を含有する感光性樹脂を使用した顔料分散法、各種印刷法、電着法、転写法、染色法等の種々の方法で形成されている。
【００６４】
　一方、下側の基板ユニット１４は、ガラスなどの透明材料あるいはその他の不透明材料からなる基板２８と、基板２８の表面側（図２では上面側、換言すると液晶層１５側）に順次形成された反射層３１、オーバーコート層３３と、該オーバーコート層３３の液晶層１５側の面に形成されたストライプ状の駆動用の複数の電極層３５とから構成されている。これらの電極層３５においても先の電極層２３と同様に液晶パネル１０の表示領域と画素数に合わせて必要本数形成されている。
【００６５】
　次に、本実施形態の反射層３１は、ＡｇまたはＡｌなどの光反射性かつ導電性の優れた金属材料からなり、基板２８上に蒸着法あるいはスパッタ法などにより形成されたものである。ただし、反射層３１が導電材料からなることは必須ではなく、反射層３１とは別に導電材料製の駆動用電極層を設け、反射層３１と駆動電極を別個に設けた構造を採用して差し支えない。
【００６６】
　次に、上述の上側の基板ユニット１３に付設されている指向性前方散乱回折フィルム１８について以下に詳細に説明する。
【００６７】
　本実施形態において用いられる指向性前方散乱回折フィルム１８とは、基本構造の面から見れば、特開２０００−０３５５０６、特開２０００−０６６０２６、特開２０００−１８０６０７等に開示されている指向性を有する前方散乱フィルムを適宜用いることができる。例えば、特開２０００−０３５５０６に開示されているように、相互に屈折率の異なる２種以上の光重合可能なモノマーまたはオリゴマーの混合物である樹脂シートに、紫外線を斜め方向から照射して特定の広い方向のみを効率良く散乱させる機能と、特定の方向のみを効率良く回折させる機能を持たせたもの、あるいは、特開２０００−０６６０２６に開示されているオンラインホログラフィック拡散シートとして、ホログラム用感光材料にレーザを照射して部分的に屈折率の異なる領域を層構造となるように製造したものなどを適宜用いることができる。
【００６８】
　また、本実施形態において用いられる指向性前方散乱回折フィルム１８は、特開平１−０７７００１号公報、特開平１−１４７４０５号公報、特開平１−１４７４０６号公報、特開平２−５４２０１号公報、特開平３−１０７９０１号公報、特開平３−１０７９０２号公報、特開平３−１５６４０２号公報、特開平３−２２０２０５号公報などに提案されている光制御板を用いることもできる。具体的には、住友化学社製ルミスティ（商品名）が挙げられる。特に、フィルム法線方向のヘイズが小さいルミスティＬＣＹ１０６０が好ましい。
【００６９】
　ここで本実施形態において用いる指向性前方散乱回折フィルム１８は、以下に説明する平行線透過率等の各種パラメータを液晶表示装置に好適な特定の位置関係としたものである。
【００７０】
　まず、図４に示すように平面視矩形状の指向性前方散乱回折フィルム１８を水平に設置するものとする。なお、図４では水平設置状態が説明し易いので水平設置状態で説明するが、指向性前方散乱回折フィルム１８を設置する方向は水平方向に限らず、どの方向でも良く、要は以下に説明する光源Ｋと受光部Ｊと指向性前方散乱回折フィルム１８の位置関係（後述の極角θn、方位角φm）を明確に定めることができれば良い。本実施形態では説明の際に方向の理解が容易な方向として指向性前方散乱回折フィルム１８の水平方向設置を一例にして説明する。
【００７１】
　図４において、指向性前方散乱回折フィルム１８の右斜め上方奥側から指向性前方散乱回折フィルム１８の中央部の原点Ｏに向けて、光源Ｋからの入射光Ｌ１を入射する場合を想定する。そして、指向性前方散乱回折フィルム１８の原点Ｏを通過させて指向性前方散乱回折フィルム１８を透過して直進する透過光を光センサ等の受光部Ｊにて受光する測定系を想定する。
【００７２】
　ここで、指向性前方散乱回折フィルム１８への入射光Ｌ１の方向を特定するため、図４に示すように０°、９０°、１８０°、２７０°の座標軸によって指向性前方散乱回折フィルム１８を矩形状に４等分して中央部の原点Ｏを通過する座標を想定し、（換言すると、指向性前方散乱回折フィルム１８の各辺の中心を座標軸の一端が通過するように４等分し）、この指向性前方散乱回折フィルム１８の表面上に垂直投影される入射光Ｌ１の水平方向回転角度（０°の座標軸からの右回りの角度を＋、０°の座標軸から左回りの角度を−とする。）を方位角φmと定義する。次に、０°の座標軸と１８０°の座標軸を含む垂直面（図４に符号Ｍ１で示す面）に水平投影される入射光Ｌ１の方向に対して指向性前方散乱回折フィルムの法線Ｈとのなす角度を入射光Ｌ１の極角θnと定義する。換言すると、極角θnとは水平設置した指向性前方散乱回折フィルム１８に対する鉛直面内の入射光Ｌ１の入射角度を示し、方位角φとは入射光Ｌ１の水平面内回転角に相当する。
【００７３】
　この状態において例えば、入射光Ｌ１の極角を０°、方位角を０°とした場合は、入射光Ｌ１が指向性前方フィルム１８に対して図５に示すように直角に入射する（法線方向からの入射する）ことになり、指向性前方散乱回折フィルム１８は図５の符号１８に示す状態となり、極角θnを＋６０°とした場合に光源Ｋと受光部Ｊと指向性前方フィルム１８との位置関係は図５の符号１８Ａに示すように指向性前方散乱回折フィルム１８を配置した状態となり、極角θnを−６０°とした場合に光源Ｋと受光部Ｊと指向性前方散乱回折フィルム１８との位置関係は符号１８Ｂに示すように指向性前方散乱回折フィルム１８を配置した状態となることを意味する。
【００７４】
　次に、指向性前方散乱回折フィルム１８の一面側（図６（Ａ）では左側）に設置された光源から発せられた入射光Ｌ１が図６（Ａ）に示すように指向性前方散乱回折フィルム１８を透過して指向性前方散乱回折フィルム１８の他面側（図６（Ａ）では右側）に抜ける場合、指向性前方散乱回折フィルム１８の一面側（左側）において散乱する光を後方散乱光ＬＲと称し、指向性前方散乱回折フィルム１８を透過する光を前方散乱光（本発明では、この前方散乱光には指向性前方散乱回折フィルム１８を透過する際に回折され、指向性前方散乱回折フィルム１８の他面側（右側）に透過した回折光も含まれる。）と称することとする。そして、指向性前方散乱回折フィルム１８を透過した前方散乱光（この前方散乱光には回折光も含まれる）に関し、入射光Ｌ１の進行方向に対して±２°以内の角度誤差で同じ方向に直進する前方散乱光Ｌ３の光強度について、入射光Ｌ１の光強度に対する割合を平行線透過率と定義し、更に、±２゜を越えて周囲側に斜めに拡散する前方散乱光（この前方散乱光には回折光も含まれる）ＬＴの光強度について、入射光Ｌ１の光強度に対する割合を拡散透過率と定義し、透過光全体の入射光に対する割合を全光線透過率と定義する。以上の定義から、全光線透過率から拡散透過率を差し引いたものが平行線透過率であると定義することができる。以上の説明を更に理解し易くするために、図１にも入射光Ｌ１と方位角φmと平行線透過光Ｌ３の関係を示した。
【００７５】
　なお、光学の分野においてヘイズ（Haze）と称される透過率尺度も一般的には知られているが、ヘイズとは拡散透過率を全光線透過率で除算して％表示した値であり、本実施形態において用いる平行線透過率とは全く異なる概念の定義である。
【００７６】
　次に、先の極角θnと方位角φmを用いて平行線透過率の最大透過率を標記する場合、Ｔmax（φ１，θ１）と標記することと定義し、平行線透過率の最小透過率をＴmin（φ２，θ２）と標記することと定義する。また、換言すると、指向性前方散乱回折フィルムの性質から、最大透過率を示す条件においては最も散乱（回折も含まれる）が弱い条件であり、最小透過率を示す条件においては最も散乱（回折も含まれる）が強い条件である。
【００７７】
　例えば、仮に極角θn＝０°、方位角φm＝０°の時に最大透過率を示す場合に、Ｔmax（０，０）と標記する。（これは、指向性前方散乱回折フィルムの法線方向に沿う平行線透過率が最大であることを意味する。換言すると、指向性前方散乱回折フィルムの法線方向に沿う散乱や回折が最も弱いことを意味する。）また、極角θn＝１０°、方位角φm＝４５°の時に最小透過率を示す場合に、Ｔmin（１０，４５）と標記し、この場合はこの方向の散乱や回折が最も強いことを意味する。
【００７８】
　以上の定義に基づき、液晶装置に適用して好ましい指向性前方散乱回折フィルム１８の各特性について以下に説明する。
【００７９】
　前述したように指向性前方散乱回折フィルム１８において、平行線透過率が最大透過率を示す角度は、最も散乱や回折が弱い角度であり、最小透過率を示す角度は、最も散乱や回折が強い角度である。
【００８０】
　よって換言すると、図２に示すように反射型液晶装置においては、液晶パネル１０に対する周囲光を入射光Ｌ１として利用し、この入射光Ｌ１が液晶パネル１０内に入射して反射層３１にて反射した光を観察者が反射光として認識すると考えると、図４の座標軸において、光の入射時に散乱や回折が強い方向（換言すると平行線透過率の低い方向）から液晶パネル１０に入射光を入れ、観察者が反射光を観察する場合に散乱や回折が弱い方向（換言すると平行線透過率の高い方向）から見れば、表示のにじみ（ボケ）の少ない状態を得ることができると考えられる。これは、本発明者らが知見した、指向性前方散乱回折フィルム１８に対する入射時の１回目の散乱は表示のにじみ（ボケ）に影響が出にくいが、反射光として指向性前方散乱回折フィルム１８を２回目に通過する際の散乱が表示のにじみ（ボケ）に影響が大きいという知見に基づくものである。
【００８１】
　即ち、本実施形態では入射光Ｌ１が１回目に指向前方性散乱フィルム１８を通過する場合には光を散乱や回折した方が、反射層３１の正反射（ミラー反射）を防止して広い視野角で明るい表示を得ようとする目的のためには好ましく、更に、液晶装置の内部の反射層３１で反射した光が２回目に指向性前方散乱回折フィルム１８を通過する場合には散乱や回折が少ない方が表示のにじみ（ボケ）を少なくする上で好ましいと考えられるからである。従って、指向性前方散乱回折フィルム１８の特性において、最小透過率を示す極角と方位角、換言すると最も散乱や回折が強い入射光の極角と方位角方向を液晶パネル１０の採光側に向けること、換言すると観察者側と反対側に向けることが好ましく、平行線透過率が最大透過率を示す極角と方位角、換言すると最も散乱や回折が弱い入射光角度と入射方向を液晶パネル１０の観察者側に向けることが必要である。
【００８２】
　ここで図６（Ｂ）に、本実施形態において用いる指向性前方散乱回折フィルム１８の断面構造を示し、以上のような極角と方位角の状態について説明する。
【００８３】
　本実施形態において用いる指向性前方散乱回折フィルム１８の断面構造モデルは図６（Ｂ）に示すように、屈折率がｎ１の部分と屈折率がｎ２の部分が指向性前方散乱回折フィルム１８の断面構造において所定の角度を有して斜め方向に層状に交互配置されてなる構造である。この構造の指向性前方散乱回折フィルム１８に斜め方向から適切な極角を有して入射光Ｌ１が入射されるとすると、屈折率の異なる各層の境界部分において散乱や回折されるとともに、散乱光や回折光の一部が液晶層１５を通過して反射層３１において反射されるとこの反射光Ｒ１が再度液晶層１５を通過して指向性前方散乱回折フィルム１８を先程の入射光Ｌ１とは異なる極角にて通過しようとするがここでの反射光Ｒ１は散乱や回折の少ない状態で指向性前方散乱回折フィルム１８を通過することができる。
【００８４】
　そして、このような関係を満足させるためには、方位角φ１とφ２の関係として、φ１＝φ２±１８０°であることが最も好ましい。これは、φ２を入射角方向、φ１を観察方向とすることを意味し、実際の液晶装置で適用する場合にこれらの角度が１８０°異なる。この場合、液晶装置に入射された光は入射時に強く散乱や、回折され、反射層３１で反射された光は散乱や回折され難いので、表示のにじみ（ボケ）の無い鮮鋭な表示形態が得られる。ただし、前述のような所定の角度を有して斜め方向に層状に交互に屈折率の異なる層が配置される指向性前方散乱回折フィルム１８が組織的に完全に均一ではないことを考慮すると、方位角φ１とφ２の関係としては、φ１＝φ２±１８０°で理想的ではあるが、φ１＝φ２±１８０°の関係を基にして、その角度から±１０°程度ずれたものまで本発明では包含するものとする。この角度が±１０゜を超えてずれたものでは表示のにじみ（ボケ）の無い鮮鋭な表示形態が得られ難くなる。
【００８５】
　次に、先の（Ｔmax／Ｔmin）の値が（Ｔmax／Ｔmin）≧２の関係を満足することが好ましい。この関係とすることで、入射時に十分な散乱や回折が得られ、明るく鮮鋭な反射表示が得られる。また、この関係を満足させることで、従来から知られている等方性散乱フィルムを用いた場合よりも明るい反射表示を実現できる。
【００８６】
　次に、極角θ１とθ２を個々に見ると、等方性の散乱フィルムよりも明るい表示を得るためには、−４０°≦θ１＜０°かつ０°＜θ２≦＋４０°の範囲、より好ましくは−３０°≦θ１≦−１０°、かつ、１０°≦θ２≦３０°の範囲とすることが好ましい。
【００８７】
　次に、指向性前方散乱回折フィルム１８の法線方向の（真正面）の平行線透過率をＴ（０，０）と定義すると、従来から知られている等方性の散乱フィルムよりも明るい表示を得るためには、θ１＝−２０°、θ２＝２０°の場合に、Ｔ（０，０）が３％以上、５０％以下であることが好ましく、Ｔ（０，０）が５％以上、４０％以下であることがより好ましい。Ｔ（０，０）が３％を下回ると、散乱や回折が強すぎて表示がぼけることとなり、Ｔ（０，０）が４０％を超えると正面の散乱や回折が弱すぎてミラー反射に近くなる。
【００８８】
　次に、指向性前方散乱回折フィルム１８の方位角φmをφ１±６０°（φ２±６０°）の範囲と規定した場合、常にθ１で平行線透過率の極大をとり、θ２で平行線透過率の極小値をとるとともに、極大値と極小値の比を１.５以上とすることが好ましい。このような特徴を有しているならば、φ２の一方向のみならず、方位角で±６０°までの光を散乱や回折させることができるので、個々の環境下に対応することが容易になり、明るい反射表示を実現できる。
【００８９】
　次に、最大透過率を示す方位角φ１および最小透過率を示す方位角φ２と直交する方向の極角θnを−４０°〜＋４０°まで変化させた場合、この範囲において平行線透過率が指向性前方散乱フィルムの法線方向の透過率と同等か、あるいは高ければ、液晶装置を横方向から観察しても表示のにじみ（ボケ）の無い鮮鋭な表示を得ることができる。即ち、Ｔ（０，０）≦Ｔ（φ１±９０，θ）の関係を満足し、Ｔ（０，０）≦Ｔ（φ２±９０，θ）の関係を満足するものとすることが好ましい。
【００９０】
　次に、極角θnが−６０°≦θ≦＋６０°の範囲において、平行線透過率Ｔ（φ，θ）が２％以上であり、５０％以下であることが好ましい。即ち、２％≦Ｔ（φ，θ）≦５０％、但し−６０°≦θ≦＋６０°の関係を満足することが好ましい。　このような関係とすることで、明るく、表示のにじみ（ボケ）の無い鮮鋭な反射表示を得ることができる。
【００９１】
　本実施形態の液晶装置は、液晶パネル１０に上記のような指向性前方散乱回折フィルム１８を設けるだけで、表示のにじみ（ボケ）に対する影響は少なく、表示のにじみ（ボケ）の少ない鮮明な表示形態が得られるので、従来の内面散乱型の液晶装置のように反射層を凹凸型にしなくても済み、製造コストを低減できる。
【００９２】
　次に、上述のように平行線透過率が最小透過率を示す極角と方位角方向を液晶パネル１０の採光側に向けられ、平行線透過率が最大透過率を示す極角と方位角方向を液晶パネル１０の観察者側に向けるように配置された指向性前方散乱回折フィルム１８においては、図２に示すように上記採光側からこの液晶パネル１０の偏光板１６、位相差板１９を通って指向性前方散乱回折フィルム１８に入射した入射光Ｌ１の該フィルム１８の法線Ｈに対する入射角をθ、入射光Ｌ１が指向性前方散乱回折フィルム１８を透過する際に回折した回折光Ｌ６の該フィルム１８の法線Ｈに対する回折角をαと定義したとき、回折光Ｌ６の回折角αの絶対値が入射光Ｌ１の入射角θの絶対値より小さいこと、即ち、｜α｜＜｜θ｜なる関係を満足するようなものであることが好ましい。
【００９３】
　このように入射光Ｌ１と回折光Ｌ６が｜α｜＜｜θ｜なる関係を満足できるような指向性前方散乱回折フィルム１８が液晶装置に備えられていると、液晶パネル１０の表面反射方向（回折光Ｌ６が反射層３１で反射した反射光Ｒ１の法線Ｈからの角度が入射光Ｌ１の入射角θの絶対値と同じ大きさの方向）からずれた概ねパネル１０の法線方向Ｈから観察したときの輝度を向上でき、鮮明な表示形態が得られるからである。
【００９４】
　それは、採光側から入射させた入射光Ｌ１が指向性前方散乱回折フィルム１８を透過する際に回折した回折光Ｌ６の回折角｜α｜が入射光Ｌ１の入射角｜θ｜より小さいと、この回折光Ｌ６が反射層３１で反射した反射光Ｒ１が指向性前方散乱回折フィルム１８を通過して液晶パネル１０の外部に出射した出射光Ｒ１を入射光Ｌ１の正反射方向より小さい角度範囲で強く出射させることができ、即ち、回折光Ｌ６の反射光Ｒ１を指向性前方散乱回折フィルム１８の法線Ｈに近い方向に強く出射させることができる（言い換えれば回折光Ｌ６の反射光Ｒ１が出射される範囲を法線方向Ｈ寄りにシフトさせることができる）ので、入射光Ｌ１の正反射方向より小さい角度範囲の輝度が高くなり、使用者（観察者）Ｅが液晶パネル１０の表面反射方向からずれた概ねパネルの法線方向Ｈから観察したときに、明るく鮮明な表示が得られる。
【００９５】
　なお、本実施形態の液晶装置では、液晶パネル１０内に入射した入射光Ｌ１は指向性前方散乱回折フィルム１８を通過する際、回折されるが、この回折光Ｌ６はさらに透光性基板１７、カラーフィルタ層２０、オーバーコート層２１、電極層２３、液晶層１５、電極層３５（回折光Ｌ６はこの電極層３５を通らない場合もある。）、オーバーコート層３３を通過後、反射層３１の表面で反射されるため、反射層３１で反射される前の回折光Ｌ６の上記｜α｜は、指向性前方散乱回折フィルム１８で生じた回折以外に、少なくとも透光性基板１７の通過により生じた屈折を含む角度である。
【００９６】
　具体例を挙げて説明すると、通常、使用者（観察者）Ｅが液晶装置の表示を観察する際は、液晶パネル１０の法線Ｈに対して２０度乃至３５度の範囲内で傾いて液晶パネル１０に入射する照明光等の入射光Ｌ１の反射光Ｒ１を正反射方向（法線Ｈに対して−２０度乃至−３５度の範囲）を外した法線Ｈに対して−３０度から０度の方向から観察（観察者Ｅの観察角γが法線Ｈに対して−３０度から０度の範囲）している。このため上記採光側から入射した入射光Ｌ１が指向性前方散乱回折フィルム１８を通過する際回折した回折光Ｌ６の回折角αが法線Ｈに対して−３５度〜−２０度より小さい角度（｜α｜が法線に対して３５度から２０度より小さい値）であると、この回折光Ｌ６の反射光Ｒ１（この反射光Ｒ１が液晶パネル１０の外部に出射した出射光Ｒ１）も法線Ｈに対して−３５度〜−２０度より小さい角度の範囲内（回折光Ｌ６の反射光Ｒ１の法線Ｈに対する角度α2の絶対値が３５度〜２０度より小さい角度の範囲内）に強く出射され、すなわち回折光Ｌ６の反射光Ｒ１を入射光Ｌ１の正反射方向より小さい角度範囲で強く（多く）出射させることができる（言い換えれば回折光Ｌ６の反射光Ｒ１が出射される範囲を法線方向Ｈ寄りにシフトさせることができる）。これによって入射光Ｌ１の正反射方向より小さい角度範囲（法線Ｈに対する角度の絶対値が３５度〜２０度より小さい角度の範囲）の輝度が高くなり、使用者（観察者）Ｅが液晶パネル１０の表面反射方向からずれた概ねパネルの法線方向Ｈから観察したときに、明るく鮮明な表示が得られる。
【００９７】
　なお、ここでは図２の法線Ｈに対して左側から入射してくる入射光Ｌ１の方向＋としており、法線Ｈに対して右側から入射してくる入射光Ｌ１の方向を−としている。また、図２の法線Ｈに対して左側に出射する出射光（反射光）Ｒ１の方向を＋としており、法線Ｈに対して右側に出射する出射光（反射光）Ｒ１の方向を−としている。また、図２の法線Ｈに対して左側から見た観察方向（観察角度）を＋としており、法線Ｈに対して右側から見た観察方向（観察角度）を−としている。
【００９８】
　さらに、上記指向性前方散乱回折フィルム１８は、５度≦｜θ｜−｜α｜≦２０度なる関係を満足するようなものであることが、液晶パネル１０の表面反射方向からずれた概ねパネルの法線方向Ｈから観察したときの輝度を確実に向上でき、鮮明な表示形態が得られる点で好ましい。
【００９９】
　それは、使用者（観察者）Ｅが液晶装置の表示を観察する観察角γ（液晶パネル１０の法線Ｈからの角度）としたとき、通常、上記観察角γの絶対値の方が、液晶パネル１０に入射した入射光Ｌ１の入射角θ（液晶パネル１０の法線Ｈからの角度）の絶対値より小さく、また、上記観察角γの絶対値が入射角の絶対値｜θ｜より５度から２０度小さいことが多いため、上記｜θ｜と上記｜α｜の差が５度から２０度の範囲であると、上記回折光Ｌ６の反射光Ｒ１を上記入射光Ｌ１の正反射方向より５度から２０度法線方向寄りに強く（多く）出射させることができ、入射角の絶対値｜θ｜より５度から２０度小さい観察角｜γ｜で表示を観察したときに、明るく鮮明な表示が得られる。
【０１００】
　（液晶装置の第２実施形態）
　図７に示すものは、本発明による第２実施形態の液晶装置に備えられた液晶パネル４０を示す部分断面図である。
【０１０１】
　この実施形態の液晶パネル４０は先の図１〜図３を基に説明した第１実施形態の液晶装置と同様に指向性前方散乱回折フィルム１８を備えた反射型の単純マトリクス構造のものであり、基本的な構造は第１実施形態と同様であるので同一構成要素には同一符号を付してそれら構成要素の説明を省略し、以下に異なる構成要素を主体に説明する。
【０１０２】
　本実施形態の液晶装置に備えられた液晶パネル４０は対向された基板ユニット４１と基板ユニット４２の間にシール材１２に囲まれて液晶層１５を挟持して構成されている。上記上側の基板ユニット４１は先の第１実施形態の基板ユニット１３において、カラーフィルタ層２０が省略されたもので、カラーフィルタ層２０は対向側の下側の基板ユニット４２の反射層３１の上に積層されていて、この部分の構成が先の第１実施形態の構造と異なっている。即ち、図７に示す液晶パネル４０は、先の第１実施形態では上側（観察者側）の基板ユニット１３側に設けられていたカラーフィルタ層２０を液晶層１５の下側（観察者側と反対側）の基板ユニット４２側に設けた構造である。カラーフィルタ層２０の構造は第１実施形態の構造と同等であるが、カラーフィルタ層２０が基板２８の上面側に形成されているので、図３に示すカラーフィルタ層２０の積層構造が図３の状態に対して上下逆とされている。
【０１０３】
　この第２実施形態の構造においても、指向性前方散乱回折フィルム１８は先の第１実施形態の構造と同様に設けられているので、反射表示のにじみ（ボケ）に関して先の第１実施形態の構造と同等の効果を得ることができる。
【０１０４】
　また、液晶パネル４０に上記のような指向性前方散乱回折フィルム１８を設けるだけで、表示のにじみ（ボケ）に対する影響は少なく、表示のにじみ（ボケ）の少ない鮮明な表示形態が得られるので、従来の内面散乱型の液晶装置のように反射層を凹凸型にしなくても済み、製造コストを低減できる。
【０１０５】
　また、この指向性前方散乱回折フィルム１８は先の第１実施形態の構造と同様に採光側から該フィルム１８に入射させた入射光Ｌ１と、この入射光Ｌ１の回折光Ｌ６が上記の｜α｜＜｜θ｜なる関係を満足できるようなものであるので、液晶パネル１０の表面反射方向からずれた概ねパネル１０の法線方向Ｈから観察したときの輝度を向上でき、鮮明な表示形態が得られる。
【０１０６】
　また、図７に示す液晶装置では、反射層３１の直上にカラーフィルタ層２０が形成されているので、液晶パネル４０に入射された光が液晶層１５を介して反射層３１に至り、反射されてから直ちにカラーフィルタ３２を通過するので、色ずれの問題が起こりにくい特徴を有する。
【０１０７】
　（液晶装置の第３実施形態）
　図８に示すものは、本発明に係る第３実施形態の液晶装置に備えられた液晶パネル５０を示す部分断面図である。
【０１０８】
　この実施形態の液晶装置に備えられた液晶パネル５０は先の図１〜図３を基に説明した第１実施形態の液晶パネル１０に設けられていた反射層３１に代えて、半透過反射層５２を設けた基板ユニット５５を備えた半透過反射型の単純マトリクス構造のものであって、その他の基本的な構造において第１実施形態と同様な部分には同一符号を付してそれら構成要素の説明を省略し、以下に異なる構成要素を主体に説明する。
【０１０９】
　液晶パネル５０において第１実施形態の構造と異なるのは、半透過反射層５２が設けられた点であり、更に液晶パネル５０の背後側（図８の下側）にはバックライトなどの光源（照明装置）６０が配置されている点と、位相差板５６、偏光板５７が配置されている点である。
【０１１０】
　なお、透過型として液晶表示装置を用いる場合に下側の基板２８’はガラス等の透光性基板からなることを必要とする。
【０１１１】
　半透過反射層５２は、背後側（図８の下側）のバックライトなどの光源６０が発した透過光を通過させるために十分な厚さの半透過反射層（例えば、数百オングストロームの膜厚の薄膜Ａｌや薄膜Ａｇなど）、あるいは、反射膜の一部に多数の微細な透孔を形成して光透過性を高めた構造など、半透過反射型の液晶表示装置に広く用いられているものを適宜採用することができる。
【０１１２】
　この第３実施形態の液晶装置では、バックライトなどの光源６０からの透過光を利用する際には透過型の液晶表示形態をとり、光源からの光を利用しない場合は周囲光を用いた反射表示を行うことで反射型液晶表示装置として利用することができる。
【０１１３】
　そして、反射型液晶表示装置としての表示形態を採用する場合、先の第１実施形態の場合と同様に、指向性前方散乱回折フィルム１８の存在により、表示のにじみ（ボケ）を解消した鮮鋭な反射型の表示形態を得ることができる。また、本実施形態の液晶装置は、液晶パネル５０に上記のような指向性前方散乱回折フィルム１８を設けるだけで、表示のにじみ（ボケ）に対する影響は少なく、表示のにじみ（ボケ）の少ない鮮明な表示形態が得られるので、従来の内面散乱型の液晶装置のように反射層を凹凸型にしなくても済み、製造コストを低減できる。また、この指向性前方散乱回折フィルム１８は先の第１実施形態の構造と同様に採光側から該フィルム１８に入射させた入射光Ｌ１と、この入射光Ｌ１の回折光Ｌ６が上記の｜α｜＜｜θ｜なる関係を満足できるようなものであるので、液晶パネル１０の表面反射方向からずれた概ねパネル１０の法線方向Ｈから観察したときの輝度を向上でき、鮮明な表示形態が得られる。
【０１１４】
　（液晶装置の第４実施形態）
　図９に示すものは、本発明に係る第４実施形態の液晶装置に備えられた液晶パネル１０ａを示す部分断面図である。
【０１１５】
　この実施形態の液晶装置に備えられた液晶パネル１０ａは先の図１〜図３を基に説明した第１実施形態の液晶パネル１０に設けられていた反射層３１に代えて、微細な凹凸３１ｂが表面に形成された反射層３１ａを設けた基板ユニット１４ａを備えた反射型の単純マトリクス構造のものであって、その他の基本的な構造において第１実施形態と同様な部分には同一符号を付してそれら構成要素の説明を省略し、以下に異なる構成要素を主体に説明する。
【０１１６】
　液晶パネル１０ａにおいて第１実施形態の構造と異なるのは、表面に微細な凹凸３１ｂが形成された反射層３１ａが設けられた点であり、更にこの反射層３１ａの下地の基板２８ａの表面にも微細な凹凸２８ｂが形成されている点である。
従って、本実施形態では、この基板２８ａと反射層３１ａの間には第１実施形態で設けられていたようなオーバーコート層３３が介在されていない。
【０１１７】
　本実施形態の液晶装置において反射層３１ａに微細な凹凸３１ｂを形成する手段の一例としては、例えば、基板２８ａの表面に微細な凹凸２８ｂを形成し、その上に金属薄膜を形成することにより、基板２８ａの表面の微細な凹凸２８ｂの金属薄膜に反映させて凹凸面を形成する方法等を挙げることができる。具体的には、基板２８ａ用のガラス基板の表面を沸酸を用いて食刻するいわゆるフロスト法や、ガラス基板に細かい粒子をぶつけることによって凹凸を形成するサンドブラスト法が知られている。フロスト法はガラス組成元素を過剰に含む飽和溶液によって基板２８ａ用のガラス基板の表面に特定元素の付着物を付け、その付着物と過飽和溶液のエッチング性より選択的にガラス表面を食刻して微細な凹凸を形成する方法である。このようにして形成したガラス表面の凹凸面には、少なくとも金属薄膜を形成すれば、表面に微細な凹凸３１ｂを有する反射層３１ａが得られる。また、フォトポリマーを用いて、凸凹を形成してもよい。
【０１１８】
　この第４実施形態の液晶装置では、先の第１実施形態の場合と同様に、指向性前方散乱回折フィルム１８の存在により、表示のにじみ（ボケ）を解消した鮮鋭な反射型の表示形態を得ることができる。
【０１１９】
　また、この指向性前方散乱回折フィルム１８は先の第１実施形態の構造と同様に採光側から該フィルム１８に入射させた入射光Ｌ１と、この入射光Ｌ１の回折光Ｌ６が上記の｜α｜＜｜θ｜なる関係を満足できるようなものであるので、液晶パネル１０ａの表面反射方向からずれた概ねパネル１０の法線方向Ｈから観察したときの輝度を向上でき、鮮明な表示形態が得られる。
【０１２０】
　また、本実施形態の液晶装置では、液晶パネル１０ａ内に設けられた反射層３１ａの表面に微細な凹凸３１ｂが形成されているので、この液晶パネル１０ａに入射した入射光Ｌ１が指向性前方散乱回折フィルム１８を通る際に生じる回折光Ｌ６を利用すると、液晶パネル表面における正反射を気にせずに、明るく、にじみのない鮮明なカラー表示を得ることができる。
【０１２１】
　（液晶装置の第５実施形態）
　図１０に示すものは、本発明に係る第５実施形態の液晶装置を示す部分断面図であり、図１０（ａ）はフロントライトを使用しないで反射表示を行う場合を示す図を示し、図１０（ｂ）はフロントライトを使用して反射表示を行う場合を示す図である。
【０１２２】
　この実施形態の液晶装置は、先の図１〜図３を基に説明した第１実施形態の液晶パネル１０の指向性前方散乱回折フィルム１８の他方の基板１７側と反対側（偏光板１６の位相差板１９側と反対側）に、この液晶パネル１０側に照明光を出射するフロントライト（面状発光体）４０が設けられたものであって、その他の基本的な構造において第１実施形態と同様な部分には同一符号を付してそれら構成要素の説明を省略し、以下に異なる構成要素を主体に説明する。
【０１２３】
　フロントライト１４０は、冷陰極管あるいは蛍光管あるいは複数の白色ＬＥＤなどの光源１４１と、光源１４１からの光を端面１４２ｄから導入して図示右側へと導くように板状に形成された導光板１４２と、光源１４１を取り囲むように配置された反射板１４３とから構成されている。導光板１４２をなす材料としては、透明アクリル樹脂、ポリスチレン、透明ポリカーボネートなどの透明材料が挙げられる。
【０１２４】
　導光板１４２の表面（板面）上には、作用面部としての急斜面部１４２ａと該急斜面部１４２ａの突出端に隣接した透過面部としての緩斜面部１４２ｂから形成される凸部１４２ｇと、凸部１４２ｇに隣接する平坦部（透過面部）１４２ｈとが図示右側に向けて周期的に形成された凹凸１４２ｉが設けられている。これら急斜面部１４２ａと緩斜面部１４２ｂとはそれぞれストライプ状に導光板１４２の長さ方向（図１０の紙面の手前側から奥側にかけて）に延びるように構成されている。導光板１４２に形成された作用面部としての急斜面部１４２ａは光源１４１に面する側（光源１４１と向き合うように）に設けられている。
【０１２５】
　一方、導光板１４２の裏面（一方の板面）１４２ｃは平坦に形成されている。
【０１２６】
　ここで、光源１４１は、常に点灯するのではなく、周囲光（外光）が殆どないような暗い場合だけ、使用者Ｅあるいはセンサの指示によって点灯するものである。従って、光源１４１が点灯している場合には、図１０（ｂ）に示すようにフロントライト１４０からの照明光Ｌ１が導光板４２内を伝搬後、液晶パネル１０内に照明光（入射光）Ｌ１として出射され反射層３１表面で反射することによって、反射型として機能し反射表示を行うことになる。
【０１２７】
　一方、光源１４１が消灯している場合には、図１０（ａ）に示すように液晶装置１０の上面側（導光板１４２の表面側）から液晶パネル１０内に入射した入射光Ｌ１が反射層３１表面で反射することによって、反射型として機能し反射表示を行うことになる。
【０１２８】
　この第５実施形態の液晶装置では、バックライトなどの光源６０からの透過光を利用する際には透過型の液晶表示形態をとり、光源からの光を利用しない場合は周囲光を用いた反射表示を行うことで反射型液晶表示装置として利用することができる。
【０１２９】
　この第５実施形態の液晶装置では、光源１４１が消灯した反射表示形態を採用する場合と、光源１４１が点灯した反射表示形態を採用する場合のいずれにおいても、指向性前方散乱回折フィルム１８の存在により、表示のにじみ（ボケ）を解消した鮮鋭な反射型の表示形態を得ることができる。また、本実施形態の液晶装置は、液晶パネル１０に上記のような指向性前方散乱回折フィルム１８を設けるだけで、表示のにじみ（ボケ）に対する影響は少なく、表示のにじみ（ボケ）の少ない鮮明な表示形態が得られるので、従来の内面散乱型の液晶装置のように反射層を凹凸型にしなくても済み、製造コストを低減できる。
【０１３０】
　また、光源１４１が消灯した反射表示形態を採用する場合、この指向性前方散乱回折フィルム１８は先の第１実施形態の構造と同様に採光側から該フィルム１８に入射させた入射光Ｌ１と、この入射光Ｌ１の回折光Ｌ６が上記の｜α｜＜｜θ｜なる関係を満足できるようなものであるので、液晶パネル１０の表面反射方向からずれた概ねパネル１０の法線方向Ｈから観察したときの輝度を向上でき、鮮明な表示形態が得られる。
【０１３１】
　また、光源１４１が点灯した反射表示形態を採用する場合も、光源１４１から出射された照明光Ｌ１を指向性前方散乱回折フィルム１８を通って液晶パネ１０ル１０内に入射させた入射光Ｌ１の正反射方向より小さい角度範囲の輝度が高くなり、使用者（観察者）Ｅが液晶パネル１０の表面反射方向からずれた概ねパネル１０の法線方向Ｈから観察したときに、明るく鮮明な表示が得られる。
【０１３２】
　（液晶装置の第６実施形態）
　図１１に示すものは、本発明に係る第６実施形態の液晶装置を示す概略断面図であり、図１２は図１１の液晶装置に備えられたタッチパネル（入力装置）の概略構成を示す断面図である。
【０１３３】
　図１１に示すように、本実施形態の表示装置は、第１の実施形態の液晶装置の液晶パネル１０の指向性前方散乱回折フィルム１８の他方の基板１７側と反対側（偏光板１６の位相差板１９側と反対側）にタッチパネル５１０が備えられたものであって、その他の基本的な構造において第１実施形態と同様な部分には同一符号を付してそれら構成要素の説明を省略し、以下に異なる構成要素を主体に説明する。
【０１３４】
　液晶パネル１０は、タッチパネル５１０によって入力された情報を表示する表示手段として用いられている。液晶パネル１０の偏光板１６の位相差板１９と反対側には、金属などからなるフレーム５２４が設けられている。
【０１３５】
　タッチパネル５１０は、フレーム５２４上に両面粘着テープ５２５によって接着されることにより、液晶パネル１０の上方に固定されている。
【０１３６】
　タッチパネル５１０は、図１２に示すように下側基板５１１と上側基板５１２とが、所定の間隔をあけて対向配置され、両面テープを型抜きして得られたシール５１７によって貼り合わされている。下側基板５１１は、透光性を有しており、外側表面５１１ａと端面５１１ｂとによって形成される角部５１１ｃが面取りされている。また、上側基板５１２は、透光性と可撓性とを有している。そして、下側基板５１１および上側基板５１２の内側表面には、各々、少なくとも指やペン等により入力を行う範囲に対応して、ほぼ全面にインジウム錫酸化物（ＩＴＯ）等からなる下側透明電極５１５、上側透明電極５１６が形成されている。
【０１３７】
　また、下側透明電極５１５の両側の辺（対向する２つの辺）（図示略）に沿って、下側透明電極５１５と配線とを接続するための下側配線接続部（図示略）が設けられ、上側透明電極５１６の両側の辺（対向する２つの辺）（図示略）に沿って、上側透明電極５１６と配線とを接続するための上側配線接続部（図示略）が設けられている。上記下側配線接続部および上記上側配線接続部は、銀などの低抵抗の材料からなるものであり、互いに交差するように配置されている。そして、上記下側配線接続部は配線に接続され、上側配線接続部は配線に接続されている。
【０１３８】
　また、下側透明電極５１５が形成された下側基板５１１と、上側透明電極５１６が形成された上側基板５１２との間（下側透明電極５１５と上側透明電極５１６との間）には、空気層５１３が挟持されている。また、下側透明電極５１５と上側透明電極５１６との間には、指やペン等による入力を行わない状態で、下側透明電極５１５と上側透明電極５１６とが接触しないように、スペーサ５１４が配置されている。
【０１３９】
　なお、本実施形態においては、タッチパネル５１０の上側基板５１２側が使用者側、下側基板５１１側がタッチパネル５１０が備えられる液晶パネル１０となっている。
【０１４０】
　液晶パネル１０上に上記のような抵抗接触方式を用いたタッチパネル５１０が備えられた液晶装置では、入力者側から指やペン等により押圧することにより、可撓性を有する上側基板５１２の押圧した箇所を変形させて、下側透明電極５１５と上側透明電極５１６とを接触させることにより、位置の検出を行うことが可能な構造になっている。
【０１４１】
　この第６実施形態の液晶装置では、先の第１実施形態の場合と同様に、指向性前方散乱回折フィルム１８の存在により、表示のにじみ（ボケ）を解消した鮮鋭な反射型の表示形態を得ることができ、また、液晶パネル１０の表面反射方向からずれた概ねパネル１０の法線方向から観察したときの輝度を向上でき、鮮明な表示形態が得られる。
【０１４２】
　なお、第６実施形態の液晶装置においては、タッチパネル５１０が第１の実施形態と同様の液晶装置上に備えられた場合について説明したが、第２乃至第５の実施形態の液晶装置の液晶パネル上に備えられていてもよい。
【０１４３】
　なお、第１乃至第６実施形態での回折光Ｌ６の上記｜α｜は、指向性前方散乱回折フィルム１８により生じた回折以外に透光性基板１７等を通過により生じた屈折を含む角度である。
【０１４４】
　また、第１乃至第６実施形態の液晶装置において、指向性前方散乱回折フィルム１８の他方の基板側と反対側、又はフロントライト１４０の指向性前方散乱回折フィルム側と１８反対側、又は上記タッチパネル５１０の指向性前方散乱回折フィルム側と１８反対側、又はタッチパネル（入力装置）の面状発光体と反対側にアクリル等からなる光透過性保護板が設けられていてもよい。
【０１４５】
　また、第１乃至第６実施形態においては、単純マトリクス型の反射型液晶表示装置又は半透過反射型液晶表示装置に本発明を適用した例について説明したが、本発明を２端子型スイッチング素子あるいは３端子型スイッチング素子を備えたアクティブマトリクス型の反射型液晶表示装置あるいは半透過反射型液晶表示装置に適用しても良いのは勿論である。
【０１４６】
　それらのアクティブマトリクス型の液晶表示装置に適用した場合、図２、図７、図８、図９、図１０、図１１に示すストライプ状の電極に代えて、一方の基板側に共通電極を設け、他方の基板側に多数の画素電極を画素毎に設け、各画素電極を個々に３端子型のスイッチング素子である薄膜トランジスタで駆動する型のＴＦＴ（薄膜トランジスタ）駆動型の構造、一方の基板側にストライプ状の電極を設け、他方の基板側に画素毎に画素電極を設け、これらの画素電極を個々に２端子型の線形素子である薄膜ダイオードで駆動する２端子型線形素子駆動型の液晶表示装置などに適用できるのは勿論であり、これらのいずれの型の液晶表示装置に対しても、本発明は液晶パネルに指向性前方散乱回折フィルムを前述した特定の方向に配置するのみで適用可能であるので、極めて容易に種々の形態の液晶表示装置に適用することができる特徴を有する。
【０１４７】
　（電子機器の実施形態）
　次に、上記の第１〜第６の実施形態の液晶装置のいずれかを備えた電子機器の具体例について説明する。
【０１４８】
　図１３（ａ）は、携帯電話の一例を示した斜視図である。
【０１４９】
　図１３（ａ）において、符号２００は携帯電話本体を示し、符号２０１は上記第１〜第６の実施形態の液晶装置のいずれかを用いた液晶表示部を示している。
【０１５０】
　図１３（ｂ）は、ワープロ、パソコンなどの携帯型情報処理装置の一例を示した斜視図である。
【０１５１】
　図１３（ｂ）において、符号３００は情報処理装置、符号３０１はキーボードなどの入力部、符号３０３は情報処理装置本体、符号３０２は上記第１〜第６の実施形態の液晶装置のいずれかを用いた液晶表示部を示している。
【０１５２】
　図１３（ｃ）は、腕時計型電子機器の一例を示した斜視図である。
【０１５３】
　図１３（ｃ）において、符号４００は時計本体を示し、符号４０１は上記第１〜第６の実施形態の液晶装置いずれかを用いた液晶表示部を示している。
【０１５４】
　図１３（ａ）〜（ｃ）に示すそれぞれの電子機器は、上記第１〜第６の実施形態の液晶装置のいずれかのいずれかを用いた液晶表示部（表示手段）を備えたものであるので、表示にじみ（ボケ）がなく、明るく鮮明な表示を有し、鮮鋭な表示品質の優れたものとなる。
【実施例】
【０１５５】
　「試験例１」
　透過型のホログラム技術で作製した指向性前方散乱回折フィルムを用いて透過率の測定試験を行った。
【０１５６】
　水平に設置した５０×４０ｍｍの平面視長方形状の指向性前方散乱回折フィルムの表面中心部にハロゲンランプの光源（指向性前方散乱回折フィルムから３００ｍｍ離れた位置に設置）から光を入射し、指向性前方散乱回折フィルムの裏面側にＣＣＤからなる受光素子を有する受光部（指向性前方散乱回折フィルムから３００ｍｍ離れた位置に設置）を、光源からの入射光に対して正視対向する方向に各々設置し、光源の極角と方位角を図４に示すように規定し、受光部において２度視野で平行線透過率を測定した。
【０１５７】
　光源の極角θn（指向性前方散乱回折フィルムの法線に対する入射光の入射角度）を±６０゜の範囲で調整し、極角の角度毎の平行線透過率（％）を測定した結果を図１４に示す。また、方位角については、０゜、＋３０゜、＋６０°、＋９０°、＋１８０°（いずれも図４に示す右回り方向）と、−３０゜、−６０°、−９０°（いずれも図４に示す左回り方向）のいずれのデータについても計測し、図１４にまとめて記載した。
【０１５８】
　図１４に示す結果から、０°と１８０°の場合の測定結果が全く同一曲線になり、平行線透過光の最大透過率Ｔmaxと最小透過率Ｔminとの関係は、（Ｔmax／Ｔmin）≒５０：６≒８.３３となり、本発明で望まれる２を超える値を示した。
ここで平行線透過光の最大透過率を示すときは、散乱および回折される量が少なく（散乱光および回折光が弱い）、平行線透過光の最小透過率を示すときは、散乱および回折される量が多い（散乱光および回折光が強い）ことがわかる。
【０１５９】
　次に、散乱および回折強度を全方位で増した別の指向性前方散乱回折フィルムを用いて同様の透過率の測定試験を行った結果を図１５に示し、さらに別の指向性前方散乱回折フィルムを用いて同様の透過率の測定試験を行った結果を図１６に示す。
【０１６０】
　図１５に示す特性を見ると、平行線透過光の最大透過率Ｔmaxと最小透過率Ｔminとの関係は、（Ｔmax／Ｔmin）≒１２：３≒４であり、本発明で望まれる２を超える値を示した。
【０１６１】
　図１６に示す特性を見ると、平行線透過光の最大透過率Ｔmaxと最小透過率Ｔminとの関係は、（Ｔmax／Ｔmin）≒５２：２６≒２であり、本発明で望まれる値の２を示した。
【０１６２】
　また、図１４と図１５と図１６に示すいずれの例の指向性前方散乱回折フィルムにおいても、±６０°の範囲において、概ね、極大と極小の数値がほぼ同じ角度に存在することが明らかになった。例えば、図１４に示す結果から、極大値は極角−３０°の場合、極小値は極角＋２３゜の場合、図１５に示す結果から、極大値は極角−２０°の場合、極小値は極角＋１８゜の場合、図１６に示す結果から、極大値は極角−３０°の場合、極小値は極角＋２５゜の場合であった。
【０１６３】
　次に、図１４、図１５、図１６に示す例の指向性前方散乱回折フィルムにおいて、φmが±９０°の場合、いずれの例においても極角θnが０の場合に一番透過率が低いことも判明した。また、図１４、図１５、図１６に示す例の指向性前方散乱回折フィルムにおいて、全ての条件の場合の透過率においていずれも２〜５０％の範囲に入っていることも明らかである。
【０１６４】
　次に、極角θnを固定して方位角φmを変化させた際に、換言すると、指向性前方散乱回折フィルムのみを水平面内で回転させた場合に、指向性前方散乱回折フィルムの透過率を測定した結果を図１７に示す。
【０１６５】
　図１７に示す結果によれば、θn＝０°の条件では指向性前方散乱回折フィルムの法線方向に光を入射した状態を示すが、ほぼ一定の透過率を示し、θn＝−２０°、−４０°、−６０°の場合に方位角は０±９０°の範囲で透過率が上側に凸の極大をとる曲線を示し、θn＝＋２０°、＋４０°、＋６０°の場合に方位角０±９０°の範囲で透過率が下側に凸（上側には凹）の極小をとる曲線を示す傾向を示した。このことから、本実施例で用いた指向性前方散乱回折フィルムは極角と方位角に応じて透過率の極大と極小を示すことが明瞭に示された。すなわち、本実施例で用いた指向性前方散乱回折フィルムは、透過率が極大を示すときは、散乱および回折される量が少なく（散乱光および回折光が弱い）、透過率の極小を示すときは、散乱および回折される量が多い（散乱光および回折光が強い）ことがわかる。
【０１６６】
　なお、図１７に示す透過率の関係を解析すると、負の極角θn（−２０°、−４０°、−６０°）において方位角φm＝±３０°以内、即ち、φ＝−３０°〜＋３０゜の範囲において透過率の最大値が５％以内の変動に抑えられており、正の極角θn（＋２０°、＋４０°、＋６０°）において方位角φ＝±３０°以内、即ちφ＝−３０°〜＋３０゜の範囲において透過率の最小値が５％以内の変動に抑えられている。
【０１６７】
　図１８は、従来の等方性前方散乱フィルム（大日本印刷（株）製商品名：ＩＤＳ−１６Ｋ）を用いて構成された液晶装置の試料において、極角と透過率の関係を方位角毎に測定した結果を示すものである。試験に際し、先の第１の試験例と同じ液晶装置を用い、前方散乱回折フィルムを等方性散乱フィルムに変更して測定した結果である。
【０１６８】
　図１８に示す結果から、平行線透過光の透過率はいずれの方位角でもほとんど変化が見られず、ほぼ１つの曲線に重なるとともに、極角が０°の場合を最大として極角を＋領域か−領域に変化させても数％程度しか変化しないことが明らかである。この結果から、従来の等方性前方散乱フィルムを液晶装置に用いても、本発明の効果が得られないことが明らかである。
【０１６９】
　「試験例２」
　次に、先の試験の極角θ１と極角θ２を種々変化させた場合の反射型カラー液晶表示装置の明るさを蛍光灯点灯下のオフィスにおいて比較した。明るさとしては、従来品の等方性前方散乱フィルムを用いた反射型カラー液晶表示装置（先の図１８に示す測定に用いた等方性散乱フィルムを用いた反射型カラー液晶表示装置）と比較し、従来品の反射型カラー液晶表示装置よりも明るく認識できたものを〇、同等のものを△、暗いものを×として以下の表１に示した。
【０１７０】
　「表１」
　θ１（°）　 -80　 -70　 -60　 -50　 -40　 -30　 -20　 -10　　 0 
　θ２（°）　　 0　　 0　　 0　　 0　　 0　　 0　　 0　　 0　　 0
　評価結果　　　×　　×　　×　　×　　×　　△　　△　　△　　×
　θ１（°）　 -80　 -70　 -60　 -50　 -40　 -30　 -20　 -10　　 0 
　θ２（°）　　10　　10　　10　　10　　10　　10　　10　　10　　10
　評価結果　　　×　　×　　×　　×　　△　　〇　　〇　　〇　　×
　θ１（°）　 -80　 -70　 -60　 -50　 -40　 -30　 -20　 -10　　 0 
　θ２（°）　　20　　20　　20　　20　　20　　20　　20　　20　　20
　評価結果　　　×　　×　　×　　×　　△　　〇　　〇　　〇　　×
　θ１（°）　 -80　 -70　 -60　 -50　 -40　 -30　 -20　 -10　　 0 
　θ２（°）　　30　　30　　30　　30　　30　　30　　30　　30　　30
　評価結果　　　×　　×　　×　　×　　△　　〇　　〇　　〇　　×
　θ１（°）　 -80　 -70　 -60　 -50　 -40　 -30　 -20　 -10　　 0 
　θ２（°）　　40　　40　　40　　40　　40　　40　　40　　40　　20
　評価結果　　　×　　×　　×　　×　　×　　△　　△　　△　　×
　表１に示す測定結果から明らかなように、平行線透過光が最大となる場合の極角θ１が、−４０°≦θ１≦０°の範囲、０°≦θ２≦４０°の範囲であれば従来品と同程度の明るさを確保でき、−３０°≦θ１≦−１０°の範囲、１０°≦θ２≦３０°の範囲であれば、入射光がこのフィルムを通過する際に散乱および回折される量が多くなり、従来品よりも明るさに優れている液晶表示装置が得られることがわかる。
【０１７１】
　「試験例３」
　指向性前方散乱回折フィルムの法線方向の平行線透過率Ｔ（０，０）を種々の値に変えた指向性前方散乱回折フィルムを用意し、この指向性前方散乱回折フィルムを備えた液晶表示装置の明るさを蛍光灯点灯下のオフィスにおいて比較した。比較した従来品は先の試験例で用いたものと同じである。従来品の反射型カラー液晶表示装置よりも明るく認識できたものを〇、同等のものを△、暗いものを×として以下の表２に示した。
【０１７２】
　「表２」
　Ｔ（０，０）　3％　 5％　 10％　 20％ 　30％ 　40％ 　50％ 　60％
　評価結果　　　△　 　〇　　 〇　　 〇　　　〇　　　〇　　 △　　 ×
　表２に示す結果から明らかなように、３％≦Ｔ（０，０）≦６０％、より好ましくは５％≦Ｔ（０，０）≦４０％の範囲であれば、実際の使用環境下において従来よりも明るい反射型カラー液晶表示装置を提供できることが明らかである。
【０１７３】
　次に、図１４、図１５、図１６に示す結果から、指向性前方散乱フィルムの方位角φをφ１±６０°かつφ２±６０°の範囲で規定した場合、常にθ１において平行線透過率の極大を示し、θ２において平行線透過率の極小を示すことも明らかである。
【０１７４】
　「試験例４」
　次に、透過型のホログラム技術で作製した指向性前方散乱回折フィルムを多数枚用意し、（Ｔmax／Ｔmin）の値を種々の値に調整した場合の反射型カラー表示装置の明るさを先の従来品の液晶表示装置と比較した結果を以下の表３に記載した。従来品の液晶表示装置に比べて２倍以上明るく認識できた場合は◎、従来品よりも明るく認識できたものは〇、同等の場合は△、暗い場合は×とした。
【０１７５】
　「表３」
　Ｔmax／Ｔmin　　１０.０　５.０　３.０　２.０　１.８　１.５　１.０
　　評価結果　　　　 ◎　　　◎　　 ◎　 　◎　　〇　　 △　　　△
　表３に示す結果から、先に説明した平行線透過率の極小値と極大値の比が２以上である場合に特に明るく認識できたことが明らかである。
【０１７６】
　「試験例５」
　平行線透過率が最小値または最大値をとる時の方位角をφ２またはφ１とすると、φ２±６０°、φ１±６０°の範囲で極角θを変化させて測定した透過光特性の極大値と極小値の比を測定した。この比を変化させて反射型カラー液晶表示装置の明るさを蛍光灯点灯下のオフィスにおいて比較した。比較した従来品は先の試験例で用いたものと同じである。従来品の反射型カラー液晶表示装置よりも明るく認識できたものを〇、同等のものを△、暗いものを×として以下の表４に示した。
【０１７７】
　「表４」
　極大値／極小値　　５.０　　３.５　　２.０　　１.５　　１.２　　１.０
　　評価結果　　　　　〇　　　〇　　　 〇　　　　〇　　　 △　　　△
　表４に示す結果から、極大値／極小値の値は１.５以上が好ましいことが明らかになった。即ち、指向性前方散乱回折フィルムの方位角φをφ１±６０°かつφ２±６０°の範囲で規定した場合、平行線透過率の極小値と極大値の比が１.５以上であることが明らかである。
【０１７８】
　「試験例６」
　極角θを−６０°≦θ≦＋６０°としたとき、平行線透過率Ｔの最大値と最小値を変化させて、反射型カラー液晶表示装置の明るさを蛍光灯点灯下のオフィスにおいて比較した。比較した従来品は先の試験例で用いたものと同じである。従来品の反射型カラー液晶表示装置よりも明るく認識できたものを〇、同等のものを△、暗いものを×として以下の表５に示した。
【０１７９】
　「表５」
　最大透過率Ｔmax 　６０％　 ５０％　 ４０％　 ３０％　 ２０％　１０％
　最小透過率Ｔmin 　　１％　　 １％　　 １％　　 １％　　 １％　　１％
　評価結果　　　　　　 ×　　　 ×　　　 △　　　 △　　　 △　 　　×
　最大透過率Ｔmax　 ６０％　 ５０％　 ４０％　 ３０％　 ２０％　１０％
　最小透過率Ｔmin 　　２％　　 ２％　　 ２％　　 ２％　　 ２％　　２％
　評価結果　　　　　　 ×　　　 〇　　　 〇　　　 〇　　　 〇　 　　〇
　最大透過率Ｔmax　 ６０％　 ５０％　 ４０％　 ３０％　 ２０％　１０％
　最小透過率Ｔmin 　　５％　　 ５％　　 ５％　　 ５％　　 ５％　　５％
　評価結果　　　　　　 △　　　 〇　　　 〇　　　 〇　　　 〇　 　　〇
　最大透過率Ｔmax　 ６０％　 ５０％　 ４０％　 ３０％　 ２０％　１０％
　最小透過率Ｔmin 　 １０％　 １０％　 １０％　 １０％　 １０％　１０％　評価結果　　　　　　 △　　　 〇　　　 〇　　　 〇　　　 〇　 　　△
　最大透過率Ｔmax　６０％　 ５０％　 ４０％　 ３０％　 ２０％ 　１０％
　最小透過率Ｔmin 　２０％　 ２０％　 ２０％　 ２０％　 ２０％　 ２０％　評価結果　　　　　　 ×　　　 〇　　　 〇　　　 △　　　 △　 　　×
　最大透過率Ｔmax　６０％　 ５０％　 ４０％　 ３０％　 ２０％ 　１０％
　最小透過率Ｔmin 　３０％　 ３０％　 ３０％　 ３０％　 ３０％　 ３０％　評価結果　　　　　　 ×　　　 △　　　 △　　　 ×　　　 ×　 　　×
　最大透過率Ｔmax　６０％　 ５０％　 ４０％　 ３０％　 ２０％ 　１０％
　最小透過率Ｔmin 　４０％　 ４０％　 ４０％　 ４０％　 ４０％　 ４０％　評価結果　　　　　　 ×　　　 ×　　　 ×　　　 ×　　　 ×　 　　×
　表５に示す結果から、最大値／最小値≧２を満足し、かつ、２％以上、５０％以下の透過率が必要であることがわかる。
【０１８０】
　「試験例７」
　図１４に示すような特性（平行線透過光の最大透過率Ｔmaxと最小透過率Ｔminとの関係が（Ｔmax／Ｔmin）≒５０：６≒８.３３を満たす）を示す指向性前方散乱回折フィルム（透過型のホログラム技術で作製した指向性前方散乱回折フィルム）を用いて指向性前方散乱回折フィルムを透過した透過光（散乱光ならびに回折光）の強度を調べた。
【０１８１】
　ここでの透過光の強度は、図１９に示す測定系を用い、（５０×４０）ｍｍの平面視長方形状の前記特性を示す指向性前方散乱回折フィルム（実施例の指向性前方散乱回折フィルム）４０８を水平に設置し、指向性前方散乱フィルム４０８の表面側に配置した（ハロゲン）ランプの光源Ｋ（指向性前方散乱回折フィルムから３００ｍｍ離れた位置に設置）から指向性前方散乱回折フィルム４０８の表面中心部に光Ｌを極角（入射角）θ＝２５度で、方位角＝９０度で入射し、この指向性前方散乱回折フィルム４０８を透過した透過光を、指向性前方散乱回折フィルム４０８の裏面側に配置されたＣＣＤからなる受光素子を有する受光部Ｊ（指向性前方散乱フィルムから３００ｍｍ離れた位置に設置）で受光角０度から６０度（法線方向からの角度（極角）＝０度から−６０度、方位角＝−９０度）の範囲で受光したときの受光部Ｊの角度と透過光の強度の関係を調べた。その結果を図２０に示す。
【０１８２】
　また、比較のために指向性前方散乱回折フィルムに代えて図１８に示すような特性を示す従来の等方性前方散乱フィルムを配置し、上記方法と同様にして光源Ｋから光Ｌを入射させ、透過光を受光部で受光したときの受光角度と透過光の強度の関係を調べた。その結果を図２０に合わせて示す。図２０中、１）は、実施例の指向性前方散乱回折フィルムの特性である。２）は、比較例の等方性前方散乱フィルムの特性である。
【０１８３】
　図２０から比較例の等方性前方散乱フィルムは、入射角度２５度で入射させた光Ｌの透過光の強度のピークが−２５度であり、−２５度より小さい角度になるにつれて（法線方向Ｈに近い角度になるにつれて）透過光の強度が小さくなっている。このことから比較例の等方性前方散乱フィルムは、光Ｌの入射角｜θ｜と同じ大きさの角度の散乱光は強い（多い）が、光Ｌの入射角｜θ｜より小さい角度（法線方向Ｈに近い角度）範囲の散乱光が少なく、従ってこのフィルムの下方（受光部が設けられた側）に反射層（鏡面反射するもの）を設けた場合、上記の散乱光がこの反射層で反射した反射光が等方性前方散乱フィルムを通過してフィルムの上方（受光部が設けられた側と反対側）に出射した出射光の出射角が散乱光の法線方向からの角度と同じ大きさとなるので、光Ｌの正反射方向より小さい角度範囲に出射される反射光が弱く（少なく）なってしまい、使用者（観察者）が光Ｌの表面反射方向（−２５度）からずれた概ねフィルムの法線方向Ｈから観察したときに暗いことがわかる。
【０１８４】
　これに対して実施例の指向性前方散乱回折フィルムは、入射角度２５度で入射させた光Ｌの透過光の強度のピークは−２５度であるが、−２５度より小さい角度（法線方向Ｈに近い角度）でも透過光の強度の低下割合が小さく、−１２度から−１３度付近より小さい角度（−１２度から−１３度付近から法線方向Ｈまでの角度）では比較例に比べて透過光の強度が高くなっており、特に、−６度から−７度付近では比較例に比べて透過光の強度が２倍以上高くなっていることがわかる。
【０１８５】
　このことから実施例の指向性前方散乱回折フィルムは、光Ｌの入射角｜θ｜より小さい角度（法線方向Ｈに近い角度）範囲の回折光及び散乱光が多く、従ってこのフィルムの下方（受光部が設けられた側）に反射層（鏡面反射するもの）を設けた場合、上記の回折光及び散乱光がこの反射層で反射した反射光がこの指向性前方散乱回折フィルムを通過してフィルムの上方（受光部が設けられた側と反対側）に出射した出射光が、光Ｌの正反射方向より小さい角度範囲に強く（多く）出射され、使用者（観察者）が光Ｌの表面反射方向（−２５度）からずれた概ねフィルムの法線方向Ｈから観察したときに比較例のものに比べて明るいことがわかる。
【０１８６】
　「試験例８」
　使用者（観察者）が液晶装置が使用している状態を調べた。
【０１８７】
　ここでは使用者（観察者）１２４人が図１乃至図３に示した実施形態の反射型液晶装置を使用する際に液晶パネルに入射した照明光等の光の入射角θの分布を調べた。その結果を下記表６と図２１に示す。
「表６」
入射角｜θ｜（度）０　５　１０　１５　２０　２５　３０　３５　４０　４５　人数　　　　　　０　０　　２　　５　３４　４４　２０　１６　　２　　１　表６と図２１に示した結果から通常、使用者（観察者）が液晶装置の表示を観察する際は、液晶パネルの法線に対して２０度乃至３５度の範囲内で傾いて液晶パネル１０に入射する照明光等の光を入射光として利用していることが多いことがわかる。なお、図２２（ａ）に示した等方性散乱フィルムを用いた従来の反射型液晶装置を使用する場合について同様の試験を行った場合も、表６とほぼ同様の結果が得られた。
【０１８８】
　次に、図１乃至図３に示した実施形態の液晶装置の法線に対して２０度乃至３５度の範囲内で傾いて液晶パネルに入射させた入射光の反射光を上記使用者１２４人が観察するときの観察角（液晶パネルの法線に対する角度、観察方向）γの分布について調べた。その結果を下記表７と、図２１に示す。
「表７」
観察角γ（度）　+5　0　-5　-10　-15　-20　-25　-30　-35　-40
　　人数　　　　 1　8　21　 23　 25　 21　 15　　7　　2　　1
表７と図２１に示した結果から図１乃至図３に示した実施形態の液晶装置の法線に対して２０度乃至３５度の範囲内で傾いて液晶パネルに入射させた入射光の正反射方向（法線に対して−２０度乃至−３５度の範囲）を外した−３０度から０度の方向（観察角γが−３０度から０度の範囲）から観察する使用者が多いことがわかる。なお、図２２（ａ）に示した等方性散乱フィルムを用いた従来の反射型液晶装置を使用する場合について同様の試験を行った場合も、表７とほぼ同様の結果が得られた。
【０１８９】
　次に、上記表６と表７から入射角θと、観察角γとの関係を調べた。その結果を表８に示す。
【０１９０】
　「表８」
｜θ｜−｜γ｜（度）　0　 5　10　15　20　25　30　35　40
　　人数　　　　 　　 1　16　28　41　30　 7　 1　 0　 0
　表８の結果から使用者が液晶装置の表示を観察するとき、観察角γの絶対値が入射角θの絶対値より５度から２０度小さいことが多いことがわかる。なお、図２２（ａ）に示した等方性散乱フィルムを用いた従来の反射型液晶装置を使用する場合について同様の試験を行った場合も、表８とほぼ同様の結果が得られた。
【０１９１】
　以上のことから入射光の入射角θの絶対値と、入射光の回折角αの絶対値の差が５度から２０度の範囲になるような指向性前方散乱回折フィルムを液晶パネルに備えるようにすれば、回折光の反射光を上記入射光の正反射方向より５度から２０度法線方向寄りに強く（多く）出射させることができ、入射角の絶対値｜θ｜より５度から２０度小さい観察角｜γ｜で表示を観察したときに、表示が明るく鮮明に視認できると考えられる。従って、図１４に示すような特性（平行線透過光の最大透過率Ｔmaxと最小透過率Ｔminとの関係が（Ｔmax／Ｔmin）≒５０：６≒８.３３を満たす）や、図２０中、１）を示す特性を有するような指向性前方散乱回折フィルムが液晶パネルに備えられた実施例の反射型液晶表示装置は、液晶パネルの表面反射方向からずれた概ねパネルの法線方向から観察したときの輝度を向上でき、鮮明な表示形態が得られ、また、特に、｜θ｜より５度から２０度小さい観察角｜γ｜で表示を観察したときに、明るく鮮明な表示が得られることがわかる。
【図面の簡単な説明】
【０１９２】
【図１】図１は本発明に係る第１実施形態の液晶装置の平面図である。
【図２】図１に示す液晶装置のＡ−Ａ線に沿う部分断面略図である。
【図３】図３は図２に示す液晶装置のカラーフィルタ部分を示す拡大断面図である。
【図４】図４は指向性前方散乱回折フィルムと光源と受光部と極角と方位角と平行線透過光の位置関係を示す説明図である。
【図５】図５は指向性前方散乱回折フィルムと光源と受光部の位置関係を示す説明図である。
【図６】図６（Ａ）は指向性前方散乱回折フィルムに対する入射光と平行線透過光、拡散透過光、並びに後方散乱光と前方散乱光の関係を示す説明図、図６（Ｂ）は指向性前方散乱回折フィルムの断面構造の一例と入射光及び反射光の関係を示す説明図である。
【図７】図７は本発明に係る第２実施形態の液晶装置に備えられた液晶パネルの部分断面図である。
【図８】図８は本発明に係る第３実施形態の液晶装置に備えられた液晶パネルの部分断面図である。
【図９】図８は本発明に係る第４実施形態の液晶装置に備えられた液晶パネルの部分断面図である。
【図１０】図１０は本発明に係る第５実施形態の液晶装置を示す部分断面図であり、図１０（ａ）はフロントライトを使用しないで反射表示を行う場合を示す図を示し、図１０（ｂ）はフロントライトを使用して反射表示を行う場合を示す図である。
【図１１】図１１は本発明に係る第６実施形態の液晶装置を示す概略断面図である。
【図１２】図１２は図１１の液晶装置に備えられたタッチパネルの概略構成を示す断面図である。
【図１３】本発明の電子機器の応用例を示すもので、図１３（ａ）は携帯型電話機を示す斜視図、図１３（ｂ）は携帯型情報処理装置の一例を示す斜視図、図１３（ｃ）は腕時計型電子機器の一例を示す斜視図である。
【図１４】図１４は実施例において測定された極角と透過率の関係の第１の例を方位角毎に測定した結果を示す図である。
【図１５】図１５は実施例において測定された極角と透過率の関係の第２の例を方位角毎に測定した結果において、平行線透過率の極小値と極大値の比が４の場合の測定結果を示す図である。
【図１６】図１６は実施例において測定された極角と透過率の関係の第３の例を方位角毎に測定した結果において、平行線透過率の極小値と極大値の比が２の場合の測定結果を示す図である。
【図１７】図１７は実施例において測定された方位角と透過率の関係を極角毎に測定した結果を示す図である。
【図１８】図１８は比較例において測定された極角と透過率の関係を方位角毎に測定した結果を示す図である。
【図１９】試験例において透過光の強度の測定方法の説明図である。
【図２０】実施例と比較例において光を入射角度２５度で入射させたときの透過光強度を示す図である。
【図２１】液晶表示装置を使用する際の入射角と観察角の分布を示す図である。
【図２２】図２２は従来の反射型液晶装置を示すもので、図２２（ａ）は散乱フィルムを備えた反射型液晶装置の一例を示す断面略図、図２２（ｂ）は内面拡散板を備えた反射型液晶装置の一例を示す断面略図である。
【符号の説明】
【０１９３】
　θn・・・極角
　φm・・・方位角
　Ｋ・・・光源
　Ｊ・・・受光部
　Ｌ１・・・入射光
　Ｌ６・・・回折光
　Ｒ１・・・反射光
　α・・・回折角
　α2・・・出射角
　γ・・・観察角
　ＬＴ・・・拡散透過光（前方散乱光、回折光）
　Ｌ３・・・平行線透過光（前方散乱光）
　Ｔmax（φ１，θ１）・・・最大透過率
　Ｔmin（φ２，θ２）・・・最小透過率
　１０、４０、５０、１０ａ・・・液晶パネル
　１５・・・液晶層
　１７、２８、２８’、２８ａ・・・基板
　１８・・・指向性前方散乱回折フィルム
　２０・・・カラーフィルタ層
　２３、３５・・・電極層
　３１・・・反射層
　５２・・・半透過反射層
　６０・・・光源（照明装置）
　２００・・・携帯電話本体
　２０１、３０２、４０１・・・液晶表示部
　３００・・・情報処理装置
　４００・・・時計本体
　４０８・・・指向性前方散乱回折フィルム
　５１０・・・タッチパネル（入力装置）
　５１１・・・下側基板
　５１２・・・上側基板
【図１】
2004102305.tif 000003
【図２】
2004102305.tif 000004
【図３】
2004102305.tif 000005
【図４】
2004102305.tif 000006
【図５】
2004102305.tif 000007
【図６】
2004102305.tif 000008
【図７】
2004102305.tif 000009
【図８】
2004102305.tif 000010
【図９】
2004102305.tif 000011
【図１０】
2004102305.tif 000012
【図１１】
2004102305.tif 000013
【図１２】
2004102305.tif 000014
【図１３】
2004102305.tif 000015
【図１４】
2004102305.tif 000016
【図１５】
2004102305.tif 000017
【図１６】
2004102305.tif 000018
【図１７】
2004102305.tif 000019
【図１８】
2004102305.tif 000020
【図１９】
2004102305.tif 000021
【図２０】
2004102305.tif 000022
【図２１】
2004102305.tif 000023
【図２２】
2004102305.tif 000024